(57)【特許請求の範囲】
【請求項１】
集積回路を搭載し、遊技機に対応して設置される遊技用装置と、
前記集積回路を出荷する集積回路メーカーとは異なる、前記遊技用装置を製造する遊技用装置メーカーで使用され、前記集積回路に情報を書き込む書込装置と、を備え、
前記書込装置は、前記集積回路に設定される設定情報を当該集積回路に書き込む書込手段を備え、
前記集積回路は、前記設定情報が設定されることによって遊技機との通信を行うことが可能である、
ことを特徴とする遊技用システム。
【請求項２】
前記遊技用システムは、前記遊技用装置が遊技機に対応して設置された後に当該遊技用装置と通信可能な管理装置をさらに備え、
前記集積回路に設定されることによって当該集積回路が遊技機との通信を行うことが可能となる設定情報には、第１の設定情報と第２の設定情報とがあり、
前記書込手段は、前記集積回路に前記第１の設定情報を書き込み、
前記管理装置は、前記第２の設定情報を記憶する設定情報記憶手段を備え、
前記遊技用装置は、遊技機に対応して設置された後に前記管理装置と通信して前記設定情報記憶手段が記憶する前記第２の設定情報を取得する取得手段と、前記取得手段が取得した前記第２の設定情報を前記集積回路に設定する設定手段と、を備える、
ことを特徴とする請求項１に記載の遊技用システム。
【請求項３】
集積回路を搭載し、遊技機に対応して設置される遊技用装置を製造する遊技用装置メーカーであって前記集積回路を出荷する集積回路メーカーとは異なる遊技用装置メーカーで使用され、前記集積回路に情報を書き込む書込装置であって、
前記集積回路に設定されることによって当該集積回路が遊技機と通信を行うことが可能となる設定情報を当該集積回路に書き込む書込手段を備える、
ことを特徴とする書込装置。
【請求項４】
集積回路を搭載し、遊技機に対応して設置される遊技用装置を製造する遊技用装置の製造方法であって、
前記集積回路を出荷する集積回路メーカーとは異なる、前記遊技用装置を製造する遊技用装置メーカーにおいて、書込装置が、前記集積回路に設定される設定情報を当該集積回路に書き込むステップを備え、
前記集積回路は、前記設定情報が設定されることによって遊技機との通信を行うことが可能である、
ことを特徴とする遊技用装置の製造方法。
【発明の詳細な説明】
【技術分野】
【０００１】
本発明は、遊技用装置のための遊技用システム及び書込装置に関する。 
【背景技術】
【０００２】
前記遊技用装置として、例えば、パチンコ機、パチスロ機、カードゲーム機等の遊技機や、この遊技機とともに設置されて使用される周辺装置（カードユニット等）等があり、例えば、特許文献１には、カードユニットが、パチンコ機の主基板に記憶されているチップＩＤを、既存の表示データ信号線を介して対応するパチンコ機から取得し、該取得したチップＩＤを、場内管理装置を介してセンタ管理装置に対して送信し、センタ管理装置が、カードユニットから送信されてきたチップＩＤが予め記憶されている正規のチップＩＤと一致するか否かを照合する技術が開示されている。 
【先行技術文献】
【特許文献】
【０００３】
【特許文献１】特開２０１０−１６２４２５号公報
【発明の概要】
【発明が解決しようとする課題】
【０００４】
ところで、一般に、集積回路と遊技用装置とは別のメーカーで製造されている。具体的には、集積回路メーカーが集積回路を製造し、遊技用装置メーカーに出荷する。遊技用装置メーカーは、集積回路メーカーから出荷される集積回路を遊技用装置の基板等に実装し、遊技用装置を製造する。 
【０００５】
前記のような事実を考慮すると、集積回路が集積回路メーカーから遊技用装置メーカーに出荷される間に、集積回路を動作させることによって、例えば、集積回路が行う処理の内容が解析されてしまうような不正が考えられる。
【０００６】
しかし、上記特許文献１の技術では、このような点についての対策がされていなかった。 
【０００７】
本発明は、このような背景のもとになされたものであり、その目的とするところは、集積回路メーカーから遊技用装置メーカーに出荷される間に、集積回路を動作させることによる不正を難しくする遊技用システム、書込装置、及び、遊技用装置の製造方法を提供することにある。
【課題を解決するための手段】
【０００８】
（１）上記目的を達成するため、本発明に係る遊技用システムは、
集積回路（例えば、通信制御ＩＣ２３）を搭載し、遊技機（例えば、パチンコ機１０など）に対応して設置される遊技用装置（例えば、カードユニット２０）と、
前記集積回路を出荷する集積回路メーカー（例えば、チップメーカー１００）とは異なる、前記遊技用装置を製造する遊技用装置メーカー（例えば、カードユニットメーカー６００）で使用され、前記集積回路に情報を書き込む書込装置（例えば、ＩＣライター６１０）と、を備え、
前記書込装置は、前記集積回路に設定される設定情報（例えば、有効鍵（テスト用））を当該集積回路に書き込む書込手段（例えば、ステップＡ１１における有効鍵（テスト用）を書込む処理参照）を備え、
前記集積回路は、前記設定情報が設定されることによって遊技機との通信を行うことが可能である（例えば、有効鍵（テスト用）を記憶することによって、テスト用のパチンコ機１０等との通信を行うことができる通信制御ＩＣ２３参照）、
ことを特徴とする。
また、前記遊技用システムは、前記遊技用装置が遊技機に対応して設置された後に当該遊技用装置と通信可能な管理装置（例えば、上位サーバ５１０）をさらに備え、
前記集積回路に設定されることによって当該集積回路が遊技機との通信を行うことが可能となる設定情報には、第１の設定情報（例えば、有効鍵（テスト用））と第２の設定情報（例えば、有効鍵（商用））とがあり、
前記書込手段は、前記集積回路に前記第１の設定情報を書き込み、
前記管理装置は、前記第２の設定情報を記憶する設定情報記憶手段（例えば、有効鍵（商用）を記憶する記憶部５１２）を備え、
前記遊技用装置は、遊技機に対応して設置された後に前記管理装置と通信して前記設定情報記憶手段が記憶する前記第２の設定情報を取得する取得手段（例えば、ステップＢ２における有効鍵（商用）の登録参照）と、前記取得手段が取得した前記第２の設定情報を前記集積回路に設定する設定手段（例えば、ステップＢ１９における有効鍵（商用）の設定参照）と、を備える、
ことを特徴とする。
【０００９】
上記構成によれば、集積回路が集積回路メーカーから遊技用装置メーカーに出荷される間においては、設定情報が集積回路に設定されないので、集積回路は、遊技機との通信を行うことが出来ない。このため、集積回路メーカーから遊技用装置メーカーに出荷される間に、集積回路を動作させることによる不正が難しくなっている。
【００１０】
（２）また、上記目的を達成するため、本発明に係る書込装置は、例えば、（１）の遊技用システムが備える書込装置であり、
集積回路（例えば、通信制御ＩＣ２３）を搭載し、遊技機（例えば、パチンコ機１０など）に対応して設置される遊技用装置（例えば、カードユニット２０）を製造する遊技用装置メーカーであって前記集積回路を出荷する集積回路メーカー（例えば、チップメーカー１００）とは異なる遊技用装置メーカー（例えば、カードユニットメーカー６００）で使用され、前記集積回路に情報を書き込む書込装置（例えば、ＩＣライター６１０）であって、
前記集積回路に設定されることによって当該集積回路が遊技機と通信を行うことが可能となる設定情報（例えば、有効鍵（テスト用））を当該集積回路に書き込む書込手段（例えば、ステップＡ１１における有効鍵（テスト用）を書込む処理参照）を備える、
ことを特徴とする。
（２．１）また、上記目的を達成するため、本発明に係る遊技用装置の製造方法は、
集積回路（例えば、通信制御ＩＣ２３）を搭載し、遊技機（例えば、パチンコ機１０など）に対応して設置される遊技用装置（例えば、カードユニット２０）を製造する遊技用装置の製造方法であって、
前記集積回路を出荷する集積回路メーカー（例えば、チップメーカー１００）とは異なる、前記遊技用装置を製造する遊技用装置メーカー（例えば、カードユニットメーカー６００）において、書込装置（例えば、ＩＣライター６１０）が、前記集積回路に設定される設定情報（例えば、有効鍵（テスト用））を当該集積回路に書き込むステップ（例えば、ステップＡ１１における有効鍵（テスト用）を書込む処理参照）を備え、
前記集積回路は、前記設定情報が設定されることによって遊技機との通信を行うことが可能である（例えば、有効鍵（テスト用）を記憶することによって、テスト用のパチンコ機１０等との通信を行うことができる通信制御ＩＣ２３参照）、
ことを特徴とする。
【００１１】
上記構成によれば、上記（１）と同様に、集積回路メーカーから遊技用装置メーカーに出荷される間に、集積回路を動作させることによる不正が難しくなっている。
【００１２】
（３）また、上記目的を達成するため、本発明に係るプログラムは、コンピュータを、例えば、（２）の書込装置の少なくとも一部として機能させるものであり、
集積回路（例えば、通信制御ＩＣ２３）に対して情報を書き込む書込装置（ＩＣライター６１０）に含まれるコンピュータを動作させるプログラムであって、
前記集積回路は、集積回路メーカー（例えば、チップメーカー１００）で製造され出荷され（ステップＡ４の通信制御ＩＣ２３の出荷参照）、
出荷された前記集積回路は、遊技用装置メーカーで製造される遊技用装置（例えば、カードユニット２０）に搭載され、
前記遊技用装置メーカーで製造された前記遊技用装置は、遊技場（例えば、遊技場５００）に設置され、
前記プログラムは、前記コンピュータを、前記集積回路に前記設定情報を設定するために、前記遊技用装置メーカーにおいて前記集積回路に設定情報を書き込む書込手段（例えば、ステップＡ１１における有効鍵（テスト用）を書込む処理参照）として機能させ、
前記集積回路は、前記設定情報が設定されることによって所定の処理を行うことが可能である（例えば、有効鍵（テスト用）又は有効鍵（商用）を記憶することによって、パチンコ機１０等との通信を行うことができる通信制御ＩＣ２３参照）、
ことを特徴とする。
【００１３】
上記構成によれば、上記（１）と同様に、集積回路メーカーから遊技用装置メーカーに出荷される間に、集積回路を動作させることによる不正が難しくなっている。
【００１４】
（４）また、上記（１）の遊技用システム等において、例えば、
前記集積回路は、自身を認証するための認証用情報（例えば、セキュリティ管理情報）を記憶し、
前記書込装置は、前記認証用情報を前記集積回路から取得し、取得した前記認証用情報に基づいて、前記集積回路の認証を行う認証手段（ステップＡ１０における照合参照）を備え、
前記書込手段は、前記認証手段による認証が成功した場合に、前記設定情報を前記集積回路に書き込む、
ようにしてもよい。
【００１５】
上記構成によれば、認証成功の場合に、設定情報が集積回路に設定されるので、真性の集積回路に設定情報を設定することが出来る。
【００１６】
（５）上記（１）又は（４）の遊技用システムにおいて、例えば、
前記集積回路は、記憶手段を備え、前記書込装置によって書き込まれた前記設定情報を前記記憶手段に記憶することによって前記設定情報が設定され、
前記設定情報は、前記記憶手段から消去されることによって前記設定手段の設定が解除される、
ようにしてもよい。
【００１７】
上記構成によれば、記憶手段から設定情報を消去するだけで、設定を解除することが出来るので、設定情報の集積回路への設定を容易に解除できる。ここで、遊技用装置が遊技用装置メーカーから出荷された後であって遊技場に設置される前においても、設定情報が集積回路に設定されていないので、集積回路は、前記所定の処理を行うことが出来ない。このため、第３者は、前記期間において、集積回路を実際に動作させて所定の処理を行なわせ、この処理内容を解析する行為等を行い難い。このため、上記遊技用システムは、不正に対するセキュリティを向上させた遊技用システムになっている。なお、上記構成では、遊技用装置メーカーにおいて、設定情報が集積回路に設定されるので、例えば、遊技用装置メーカーにおける、前記集積回路を実際に動作させることによる集積回路の動作確認の機会は確保されている。このため、前記遊技用システムでは、集積回路の動作確認についての利便性が著しく損なわれることはない。
【００１８】
（６）上記（５）の遊技用システムにおいて、例えば、
前記記憶手段は、揮発性記憶手段（例えば、揮発性のＲＡＭ）である、
ようにしてもよい。
【００１９】
上記構成によれば、集積回路への電力の供給を停止する（例えば、遊技用装置の電源を落とす）のみで、設定を解除することが出来るので、第１の設定情報の集積回路への設定を容易に解除できる。
【図面の簡単な説明】
【００２０】
【図１】本発明の実施形態に係る遊技用システムの構成を示すブロック図である。
【図２】本発明の実施形態におけるカードユニットとパチンコ機の構成を示すブロック図である。
【図３】図１の遊技用システムを構成する鍵管理センターサーバの構成を示すブロック図である。
【図４】図１の遊技用システムを構成するチップメーカーコンピュータの構成を示すブロック図である。
【図５】図１の遊技用システムを構成するＩＣライターの構成を示すブロック図である。
【図６】図１の遊技用システムを構成する上位サーバの構成を示すブロック図である。
【図７】遊技用装置に搭載される集積回路を製造する製造フローの一例を示す図である。
【図８】遊技用装置に搭載される集積回路を製造する製造フローの一例を示す図である。
【図９】遊技用装置に搭載される集積回路を製造する製造フローの一例を示す図である。
【図１０】図１の遊技用システムを構成するチップメーカーコンピュータに記憶されている情報の対応関係の一例を示す図である。
【図１１】図１の遊技用システムを構成する鍵管理センターサーバに記憶される情報の対応関係の一例を示す図である。
【図１２】遊技用装置に搭載された集積回路を認証する認証フローの一例を示す図である。
【図１３】遊技用装置に搭載された集積回路を認証する認証フローの一例を示す図である。
【図１４】遊技用装置に搭載された集積回路を認証する認証フローの一例を示す図である。
【図１５】遊技用装置に搭載された集積回路を認証する認証フローの一例を示す図である。
【図１６】遊技用装置に搭載された集積回路を認証する認証フローの一例を示す図である。
【図１７】チップ情報とチップ番号の対応関係の一例を示す図である。
【図１８】図２の遊技用システムを構成する鍵管理センターサーバから送信される照合結果の一例を示す図である。
【発明を実施するための形態】
【００２１】
この発明の実施形態について、図面を参照して詳細に説明する。
【００２２】
（実施形態）
（遊技用システム１の構成）
図１に示すように、本実施形態に係る遊技用システム１は、パチンコ機１０と、カードユニット２０と、鍵管理センターサーバ３１０と、チップメーカーコンピュータ１１０と、ＩＣライター６１０と、上位サーバ５１０と、を備えている。パチンコ機１０及びカードユニット２０は、遊技用装置の一例である。
【００２３】
鍵管理センターサーバ３１０と、チップメーカーコンピュータ１１０と、ＩＣライター６１０と、上位サーバ５１０と、は、インターネット等のネットワークＮと接続され、これらのうちの所定の装置同士が通信可能となっている。なお、情報の漏洩を防止するため、上記各装置の少なくとも一部は、通信相手となる所定の装置と専用回線に接続されて、当該所定の装置と通信してもよい。
【００２４】
上位サーバ５１０とカードユニット２０とは、遊技場５００（パチンコ店等）に設置され、遊技場５００内のローカルネットワーク等を介して、互いに通信可能に接続されている。上位サーバ５１０は、遊技場５００毎に、例えば、一台ずつ設置される。カードユニット２０やパチンコ機１０は、遊技場５００毎に複数設置される。
【００２５】
（パチンコ機１０）
パチンコ機１０は、パチンコ店（遊技場５００）における遊技島において機種等毎に所定の位置に配置される。パチンコ機１０は、本実施形態では、いわゆるＣＲ式のパチンコ機（例えば、所謂封入式のパチンコ機）である。ユーザ（遊技者）は、パチンコ機１０で遊技を行う。ユーザは、パチンコ機１０で行う遊技において、遊技媒体であるパチンコ玉をパチンコ機１０の遊技領域に打ち込んで遊技を行う。
【００２６】
ここで、封入式パチンコ機とは、パチンコ機１０内に封入されたパチンコ球を循環使用して遊技を行う遊技機であり、パチンコ球による賞球の払い出しを行わないパチンコ機のことをいう。封入式パチンコ機では、遊技者は、パチンコ球貸出し可能金額等の有価情報を記録したプリペイド式の記録媒体、例えば磁気カード等のカード状記録媒体（以下、単にカードともいう。）を、パチンコ機１０の外枠に沿って配設されるカードユニット２０に挿入し、必要なパチンコ球数をカードから度数を減算して（持ち球数情報に変換して）貸し出し遊技を行う。封入式パチンコ機は、パチンコ球の入賞口への入賞やアウト口への入球等に応じて持ち球数情報が示す持ち球数を増減させる。この増減の基本的なルールは一般的なパチンコ機の球の増減と同様である。遊技終了時には、遊技者は、精算ボタンを操作し、その時点において獲得している持ち球数情報をカードに記録させ（このとき、この持ち玉数情報をカードの度数に変換してもよい。）、このカードをカードユニット２０外に排出させる。なお、カードユニット２０は、プリペイド式のカードだけでなく、現金、又は現金とプリペイド式のカードを併用してもよい。
【００２７】
パチンコ機１０は、遊技釘、入賞口、表示装置等が取り付けられて前記遊技領域を構成する遊技盤と、遊技盤を収納する筐体と、を含んで構成されるとともに（図示省略）、図１に示すように、払出制御チップ１１と不正監視制御部１２と主制御チップ１３とを備える。
【００２８】
主制御チップ１３は、パチンコ機１０の遊技盤側の制御基板に搭載され、払出制御チップ１１は、パチンコ機１０の筐体側の制御基板に搭載される。不正監視制御部１２は、筐体側の制御基板上に搭載される。払出制御チップ１１と不正監視制御部１２と主制御チップ１３とは、それぞれ、集積回路に該当する。
【００２９】
払出制御チップ１１は、図２に示すように、ＣＰＵ（Central Processing Unit）等からなる処理部１１ａと、ＲＯＭ（Read Only Memory）、ＲＡＭ（Random Access Memory）等からなる記憶部１１ｂと、入出力ポート等からなる通信部１１ｃと、を備えた、例えば、ワンチップマイコン等によって構成されている。なお、ＲＯＭは、ＥＰＲＯＭ等の書込可能なＲＯＭであってもよい（以下、ＲＯＭについて同じ）。なお、ＲＡＭは、基本的に揮発性のものとするが、適宜、不揮発性のものを含んでもよい（以下、ＲＡＭについて同じ）。
【００３０】
記憶部１１ｂは、プログラムの他、所定の情報を記憶する。通信部１１ｃは、処理部１１ａが払出制御チップ１１外部と通信（情報の送信又は受信）を行うときに使用される。
【００３１】
処理部１１ａは、記憶部１１ｂが記憶するプログラムに従って、所定の処理を行う。例えば、処理部１１ａは、カードユニット２０（通信制御ＩＣ２３）との間でパチンコ玉の貸与に関する情報のやり取り（特に封入式でない場合）、又は、持ち球数情報の増減に関する情報のやり取り（特に封入式の場合）を、通信部１１ｃ及び後述する不正監視制御部１２を介して行うことによって玉貸処理（ビジタ玉貸処理，会員単位玉貸処理，及び会員端数玉貸処理等）等を行う。また、処理部１１ａは、後述の処理を行う。なお、処理部１１ａは、記憶部１１ｂが記憶する情報や、通信部１１ｃ及び後述する不正監視制御部１２を介して通信制御ＩＣ２３と通信して得られる情報や、通信部１１ｃを介して主制御チップ１３と通信して得られる情報等を用いて処理を行う。
【００３２】
不正監視制御部１２は、図２に示すように、ＣＰＵ等からなる処理部１２ａと、ＲＯＭ、ＲＡＭ等からなる記憶部１２ｂと、入出力ポート等からなる通信部１２ｃと、を備える。不正監視制御部１２は、ワンチップマイコン等として構成される。
【００３３】
記憶部１２ｂは、プログラムの他、所定の情報を記憶する。通信部１２ｃは、処理部１２ａが不正監視制御部１２外部と通信（情報の送信又は受信）を行うときに使用される。
【００３４】
処理部１２ａは、記憶部１２ｂが記憶するプログラムに従って、所定の処理を行う。例えば、処理部１２ａは、払出制御チップ１１や後述する通信制御ＩＣ２３との間で暗号通信を行う。なお、処理部１２ａは、記憶部１２ｂが記憶する情報や、通信部１２ｃを介して払出制御チップ１１や通信制御ＩＣ２３と通信して得られる情報を用いて、処理を行う。
【００３５】
主制御チップ１３は、図２に示すように、ＣＰＵ等からなる処理部１３ａと、ＲＯＭ、ＲＡＭ等からなる記憶部１３ｂと、入出力ポート等からなる通信部１３ｃと、を備える。
【００３６】
記憶部１３ｂは、プログラムの他、所定の情報を記憶する。通信部１３ｃは、処理部１３ａが主制御チップ１３外部と通信（情報の送信又は受信）を行うときに使用される。
【００３７】
処理部１３ａは、記憶部１３ｂが記憶するプログラムに従って、所定の処理を行う。例えば、処理部１３ａは、パチンコ機１０の各部に、パチンコ機１０が行う遊技に関する演出動作（例えば、遊技盤の入賞口の開閉、及び、表示装置への画像の表示）を行わせる。また、処理部１３ａは、例えば、入賞が発生した場合に持ち球数情報を増やす処理（特に封入式の場合）又は払出制御チップ１１にパチンコ球をいくつ払い出すかの処理（特に封入式でない場合）や、後述の処理を行う。なお、処理部１３ａは、記憶部１３ｂが記憶する情報や、通信部１３ｃを介して払出制御チップ１１と通信して得られる情報を用いて、処理を行う。
【００３８】
（カードユニット２０）
カードユニット２０は、パチンコ機１０に対応して（ここではパチンコ機１０の向かって左側に隣接して）配置される。カードユニット２０は、玉貸しの管理（特に、封入式でない場合）、カード残高の管理、カードに記録された持ち球数情報（特に、封入式の場合）の管理等を行う。なお、カードユニット２０は、有効鍵が設定されることを条件として、パチンコ機１０と通信を行う。カードユニット２０は、使用可能状態であるか否かを示す使用可能表示ランプ等の各種ランプと、カード挿入口と、カード挿入口に挿入されたカードを読み取るためのカードリーダライター等を備える。また、カードユニット２０は、図１に示すように、集積回路として、主制御部２１と、セキュリティチップ２２と、通信制御ＩＣ２３とを備える。
【００３９】
本実施形態において、通信制御ＩＣ２３は、チップメーカー１００で製造されてカードユニットメーカー６００に出荷され、主制御部２１とセキュリティチップ２２とは、同一のカードユニットメーカー６００で製造される。セキュリティチップ２２は、前記チップメーカー１００で製造出荷された通信制御ＩＣ２３とともに、前記カードユニットメーカー６００においてセキュリティ基板２４に実装される。このセキュリティ基板２４も、上記のカードユニットメーカー６００で製造される。カードユニットメーカー６００は、このセキュリティ基板２４や主制御部２１等をカードユニット２０の筐体内に収納（搭載）させて、カードユニット２０を製造する。また、後述する上位サーバ５１０も、上記のカードユニットメーカー６００で、カードユニット２０とセットで製造される。通信制御ＩＣ２３を製造するチップメーカー１００と、当該通信制御ＩＣ２３と通信を行う不正監視制御部１２を製造するチップメーカー１００とは、同じチップメーカー１００である。つまり、カードユニット２０に搭載される通信制御ＩＣ２３と当該カードユニット２０と通信を行うパチンコ機１０に搭載される不正監視制御部１２とは、同じチップメーカー１００で製造される。
【００４０】
通信制御ＩＣ２３は、図２に示すように、ＣＰＵ等からなる処理部２３ａと、ＲＯＭ、ＲＡＭ等からなる記憶部２３ｂと、入出力ポート等からなる通信部２３ｃと、を備える。
【００４１】
記憶部２３ｂは、プログラムの他、所定の情報を記憶する。通信部２３ｃは、処理部２３ａが通信制御ＩＣ２３外部と通信（情報の送信又は受信）を行うときに使用される。
【００４２】
処理部２３ａは、記憶部２３ｂが記憶するプログラムに従って、所定の処理を行う。例えば、処理部２３ａは、主制御部２１と不正監視制御部１２との通信を中継するとともに、後述の処理を行う。なお、処理部２３ａは、記憶部２３ｂが記憶する情報や、通信部２３ｃを介して主制御部２１及び不正監視制御部１２と通信して得られる情報を用いて処理を行う。なお、詳しくは後述するが、記憶部２３ｂには、有効鍵（テスト用）又は有効鍵（商用）が格納される。通信制御ＩＣ２３は、このことを条件にして、パチンコ機１０との通信（不正監視制御部１２との通信）を行うことが出来る。ここで、有効鍵（テスト用）は、カードユニット２０の出荷前にパチンコ機１０と通信可能か否かを確認するために用いられる有効鍵であり、一方、有効鍵（商用）は、遊技場５００の営業中にカードユニット２０とパチンコ機１０との通信を可能とするものである。これらは、同じ内容を示すものであてもよく、択一的に記憶部２３ｂの同じ記憶領域に格納されてもよい。
【００４３】
セキュリティチップ２２は、図２に示すように、ＣＰＵ等からなる処理部２２ａと、ＲＯＭ、ＲＡＭ等からなる記憶部２２ｂと、入出力ポート等からなる通信部２２ｃと、を備える。
【００４４】
記憶部２２ｂは、プログラムの他、所定の情報を記憶する。通信部２２ｃは、処理部２２ａがセキュリティチップ２２外部と通信を行うときに使用される。
【００４５】
処理部２２ａは、記憶部２２ｂが記憶するプログラムに従って、所定の処理（情報の送信又は受信）を行う。例えば、処理部２２ａは、通信制御ＩＣ２３と暗号通信を行い、相互認証等の後述の処理を行う。また、処理部２２ａは、例えば、パチンコ機１０から送信される情報を用いてベース異常チェックを行う。
【００４６】
ここで、ベース異常について説明する。業界ではベースと称されている通常遊技状態における出玉率がある。このベースＢは、例えば、Ｂ＝（ＯＵＴ−特賞中ＯＵＴ）／（ＩＮ−特賞中ＩＮ）×１００という数式で算出される。
【００４７】
ここで、ＩＮとは、パチンコ機１０に打込んだ球数の集計結果であり、島設備に設けられ、パチンコ機１０毎に設置される打込球タンクに取り付けられた打込球カウンタの計数結果に基づいて集計される。ＯＵＴとは、払い出された賞球数の集計結果であり、パチンコ機１０から出力される賞球信号に基づいて集計される。特賞中ＩＮとは、特賞（大当り）中における打込球数の集計結果であり、パチンコ機１０から出力される大当り信号の出力中における打込球検出スイッチの検出結果に基づいて集計される。特賞中ＯＵＴとは、特賞中における賞球数の集計結果であり、パチンコ機１０から出力される大当り信号の出力中における賞球信号に基づいて集計される。本実施形態におけるパチンコ機１０が所謂封入式パチンコ機である場合、ＩＮや特賞中ＩＮは、打込みより消費される持ち球数情報を示し、ＯＵＴや特賞中ＯＵＴは、入賞等により獲得する持ち球数情報を示す。
【００４８】
すなわち、ベースＢの値が高いということは、通常遊技において入賞しやすい、言い換えれば球持ちがよいということである。このようにベースＢは、パチンコ機１０の稼働状況を知る上で有用な値であり、遊技場５００の管理者はベースＢの値を参考にしながら釘調整を行うことが多い。例えば、ベースＢの値が高いから遊技釘を渋めに調整し、あるいは、ベースＢの値が低いから遊技釘を少し甘めに調整する、というような調整が可能になる。さらに、ベースＢの値は、大当り遊技終了直後といった場合を除けば、ほぼ一定の範囲内の値となる。このように、ベースＢの値は突然高くなるということがないことから、仮に、ベースＢの値が突然高くなった場合には、パチンコ機１０自体に問題が発生したかあるいは不正行為（ベース異常）が行われた可能性があると判断することができる。
【００４９】
主制御部２１は、図２に示すように、ＣＰＵ等からなる処理部２１ａと、ＲＯＭ、ＲＡＭ等からなる記憶部２１ｂと、入出力ポート等からなる通信部２１ｃと、を備える。
【００５０】
記憶部２１ｂは、プログラムの他、所定の情報を記憶する。通信部２１ｃは、処理部２１ａが主制御部２１外部と通信を行うときに使用される。
【００５１】
処理部２１ａは、記憶部２１ｂが記憶するプログラムに従って、所定の処理（情報の送信又は受信）を行う。例えば、処理部２１ａは、パチンコ機１０（払出制御チップ１１）との間でパチンコ玉の貸与に関する情報のやり取りを、通信部２１ｃ、通信制御ＩＣ２３及び不正監視制御部１２を介して行うことによって前記の玉貸処理等（遊技に係る動作）を行う。また、処理部２１ａは、カードリーダライター等を制御して、カードに対して情報の読み書きを行ったり、ランプを点灯等させたり、通信部２１ｃを介して後述の上位サーバ５１０に玉貸処理で得られる売り上げ情報等を送信したりして遊技に係る処理を適宜行い、また、後述の処理を行う。具体的には、処理部２１ａは、例えば、カード残高、貯留されているパチンコ球を示す貯球の情報、遊技者を識別する会員ＩＤ等の読み取りや書込み等を行う。本実施形態におけるパチンコ機１０が所謂封入式パチンコ機である場合、処理部２１ａは、上記の読み取りや書込みの他、カード状記録媒体の度数の読み取りや書込み（持ち球数情報の増減に関する情報への変換も含む）等を行う。なお、処理部２１ａは、記憶部２１ｂが記憶する情報や、通信部２１ｃを介して通信制御ＩＣ２３や後述の上位サーバ５１０等と通信して得られる情報を用いて、処理を行う。
【００５２】
また、処理部２１ａは、鍵管理センターサーバ３１０とセキュリティチップ２２との通信における集積回路の認証に係る暗号化情報を中継する処理等を行う。詳細については後述するが、処理部２１ａは、上位サーバ５１０から送信される集積回路の認証に係る暗号化情報をセキュリティチップ２２に送信する。また、処理部２１ａは、セキュリティチップ２２から送信される集積回路の認証に係る暗号化情報を上位サーバ５１０に送信する。
【００５３】
（鍵管理センターサーバ３１０）
鍵管理センターサーバ３１０は、例えば、一般的なサーバコンピュータであり、遊技場５００外（パチンコ店外）に設置され、鍵管理センター３００（例えば、所定のカードユニットメーカー６００によって運営される。）によって管理されている。鍵管理センターサーバ３１０は、後述するように、認証鍵の管理、上位サーバ５１０や各集積回路の認証等の処理を行う。
【００５４】
鍵管理センターサーバ３１０は、図３に示すように、記憶部３１２と、制御部３１１と、入出力部３１３と、上記各部を相互に接続するシステムバス３１４とを備えている。
【００５５】
記憶部３１２は、ＲＡＭ、ＲＯＭ、磁気ディスク、半導体メモリ等を含んで構成されている。この記憶部３１２は、制御部３１１が処理を行うために必要な情報（プログラム等も適宜含む。）等を記憶する。
【００５６】
制御部３１１は、ＣＰＵ等から構成される。制御部３１１は、記憶部３１２が記憶するプログラムに従って動作する。詳しくは後述するが、制御部３１１は、各種情報の管理、上位サーバ５１０や各集積回路の認証等の処理を行う。
【００５７】
入出力部３１３は、ネットワークＮに接続されるシリアルインタフェース等から構成される通信部を有している。制御部３１１は、他の装置と、この通信部を介して情報の送受信を行う。また、入出力部３１３は、制御部３１１に制御されて所定の画面を表示するモニター等から構成される表示部や、鍵管理センター３００に所属する従業員等からの入力操作を受け付け、受け付けた操作に応じた操作信号を制御部３１１に供給するキーボードやマウス等から構成される操作入力部等を備えても良い。制御部３１１は、供給される操作信号に応じた処理を行う。
【００５８】
（チップメーカーコンピュータ１１０）
図１に戻り、チップメーカーコンピュータ１１０は、例えば、一般的なコンピュータであり、遊技場５００外に設置され、チップメーカー１００によって管理されている。チップメーカーコンピュータ１１０は、情報の送信等の処理を行う。
【００５９】
チップメーカーコンピュータ１１０は、図４に示すように、記憶部１１２と、制御部１１１と、入出力部１１３と、上記各部を相互に接続するシステムバス１１４とを備えている。
【００６０】
記憶部１１２は、ＲＡＭ、ＲＯＭ、磁気ディスク、半導体メモリ等を含んで構成されている。記憶部１１２は、は、制御部１１１が処理を行うために必要な情報（プログラム等も適宜含む。）を記憶する。
【００６１】
制御部１１１は、ＣＰＵ等から構成される。制御部１１１は、記憶部１１２に記憶されているプログラムに従って動作することによって動作する。詳しくは後述するが、制御部１１１は、情報の送信、情報の書き込み等の処理を行う。
【００６２】
入出力部１１３は、ネットワークＮに接続されるシリアルインタフェース等から構成される通信部を有している。制御部１１１は、他の装置と、この通信部を介して情報を送受信する。また、入出力部１１３は、制御部１１１に制御されて所定の画面を表示するモニター等から構成される表示部や、チップメーカー１００に所属する従業員等からの入力操作を受け付け、受け付けた操作に応じた操作信号を制御部１１１に供給するキーボードやマウス等から構成される操作入力部等を備えても良い。制御部１１１は、供給される操作信号に応じた処理を行う。
【００６３】
（ＩＣライター６１０）
図１に戻り、ＩＣライター６１０は、例えば、情報の読み取り／書き込みをするリーダ／ライターであり、チップメーカー１００から出荷され、遊技場５００外のカードユニットメーカー６００内に納入、設置される。ＩＣライター６１０は、各種情報を書き込む処理等を行う。
【００６４】
ＩＣライター６１０は、図５に示すように、記憶部６１２と、制御部６１１と、入出力部６１３と、書込読取部６１５と、上記各部を相互に接続するシステムバス６１４とを備えている。
【００６５】
記憶部６１２は、ＲＡＭ、ＲＯＭ、磁気ディスク、半導体メモリ等を含んで構成されており、後述するＣＰＵの作業領域として用いられる。記憶部６１２は、制御部６１１が処理を行うために必要な情報（プログラム等も適宜含む。）を記憶する。
【００６６】
制御部６１１は、ＣＰＵ等から構成される。制御部６１１は、記憶部６１２に記憶されているプログラムに従って動作する。詳しくは後述するが、制御部６１１は、各種情報（テスト用の有効鍵等も含む）の書き込み等の処理を行う。
【００６７】
入出力部６１３は、ネットワークＮに接続されるシリアルインタフェース等から構成される通信部を有している。制御部６１１は、通信部を介して他の装置と情報の送受信を行う。また、入出力部６１３は、制御部６１１に制御されて所定の画面を表示するモニター等から構成される表示部や、遊技機メーカー２００に所属する従業員等からの入力操作を受け付け、受け付けた操作に応じた操作信号を制御部６１１に供給するキーボードやマウス等から構成される操作入力部等を備えても良い。制御部６１１は、供給される操作信号に応じた処理を行う。
【００６８】
書込読取部６１５は、制御部６１１のもと、通信制御ＩＣ２３との間で情報の読み取り／書き込みをする。つまり、制御部６１１は、書込読取部６１５を介して通信制御ＩＣ２３に対して各種情報の読み書きを行う。
【００６９】
（上位サーバ５１０）
図１に戻り、上位サーバ５１０は、例えば、一般的なサーバコンピュータであり、遊技場５００の所定箇所（例えば管理事務所等）に設置され、遊技場５００内に設置されている複数のカードユニット２０と複数のパチンコ機１０をそれぞれ管理する場内管理装置である。上位サーバ５１０は、鍵管理センターサーバ３１０と遊技場５００内に設置されている複数のカードユニット２０と相互に通信可能に接続されている。上位サーバ５１０は、例えば、各カードユニット２０から送信される売り上げ情報等を集計する他、カードユニット２０を制御する。上位サーバ５１０は、例えば、パチンコ店毎（遊技場５００毎）に設置される。上位サーバ５１０は、鍵管理センターサーバ３１０とセキュリティチップ２２との間における集積回路の情報の認証に係る暗号化情報を中継する処理等を行う。
【００７０】
上位サーバ５１０は、図６に示すように、記憶部５１２と、制御部５１１と、入出力部５１３と、上記各部を相互に接続するシステムバス５１４とを備えている。
【００７１】
記憶部５１２は、ＲＡＭ、ＲＯＭ、磁気ディスク、半導体メモリ等を含んで構成されており、後述するＣＰＵの作業領域として用いられる。記憶部５１２には、制御部５１１が処理を行うために必要な情報（プログラム等を適宜含む。）を記憶する。
【００７２】
制御部５１１は、ＣＰＵ等から構成される。制御部５１１は、記憶部５１２に記憶されているプログラムに従って動作する。詳しくは後述するが、制御部５１１は、鍵管理センターサーバ３１０と主制御部２１との間における集積回路の認証に係る暗号化情報を中継する処理等を行う。
【００７３】
入出力部５１３は、ネットワークＮに接続されるシリアルインタフェースや、各カードユニット２０（主制御部２１）に接続されるシリアルインタフェース等から構成される通信部を有している。制御部５１１は、通信部を介して他の装置と情報の送受信を行う。また、入出力部５１３は、制御部５１１に制御されて所定の画面を表示するモニター等から構成される表示部や、遊技場５００の従業員等からの入力操作を受け付け、受け付けた操作に応じた操作信号を制御部５１１に供給するキーボードやマウス等から構成される操作入力部等を備えても良い。制御部５１１は、供給される操作信号に応じた処理を行う。
【００７４】
（遊技用システム１の動作）
次に、遊技用システム１の動作について、図面を参照して説明する。なお、後述の初期暗号情報Ａ、初期暗号情報Ｂ、書込鍵、セッション鍵等の暗号化、又は、復号化用の鍵を用いて行われる暗号通信のアルゴリズムは、任意である。例えば、ＤＥＳ（Data Encryption Standard）方式や、ＡＥＳ（Advanced Encryption Standard）方式などの共通鍵暗号方式等が用いられる。
【００７５】
また、下記での照合では、照合対象の両情報が、同じ内容を示している場合（例えば、両情報が同じ情報である等して同じものを識別している場合）には、照合結果を照合ＯＫとし、同じ内容を示していない場合（例えば、両情報が異なる情報である等して同じものを識別していない場合）には、照合結果を照合ＮＧとする。
【００７６】
また、下記での各装置間での情報の送受信は、各装置が備える通信部を介して行われるものとする。さらに、下記での各ステップは、例えば、各装置を操作する従業員等が操作入力部を操作する等の適宜の方法及びタイミングで行われる。また、各装置が予め記憶部等に記憶する情報等も、操作入力部への操作等、適宜の方法で、記憶部へ格納されているものとする。
【００７７】
（カードユニット２０の製造時）
続いて、カードユニット２０の製造時における遊技用システム１の動作等を、図７〜９等を参照して説明する。なお、図７〜９において、実線で囲まれた情報は以前から格納された情報を示し、破線で囲まれた情報は処理中に格納される情報を示す。また、下線を付した情報（有効鍵（商用）、有効鍵（テスト用））は書込鍵で暗号化されている情報を示す。なお、各ステップの順序は、各ステップが実行できない事態が生じない限り適宜変更可能である。
【００７８】
図７に示すように、チップメーカー１００は、ＩＣライター６１０を製造し、カードユニットメーカー６００に出荷する（ステップＡ１）。
【００７９】
ＩＣライター６１０の記憶部６１２には、セキュリティ管理情報と、書込鍵と、配送鍵とが格納されている。
【００８０】
セキュリティ管理情報は、英数字の組み合わせ等からなり、ＩＣライター６１０の認証に使用される情報である。本実施形態では、セキュリティ管理情報の内容は、ＩＣライター６１０毎に異なる。また、セキュリティ管理情報は、対応するＩＣライター６１０の出荷先のカードユニットメーカー６００を識別する識別情報を含む。
【００８１】
配送鍵や書込鍵は、暗号通信において、送受信される情報を暗号化及び復号化するときに使用される鍵となるものである。
【００８２】
チップメーカーコンピュータ１１０の制御部１１１は、記憶部１１２に格納された情報を鍵管理センターサーバ３１０に登録する（ステップＡ２）。
【００８３】
記憶部１１２には、有効鍵（商用）、有効鍵（テスト用）、配送鍵、動作制御情報、初期暗号情報Ｂ、暗号情報Ｂ、セキュリティ管理情報、認証情報Ｂ１、書込鍵が、セキュリティ管理情報毎（つまり、ＩＣライター６１０毎）に対応付けて格納されている（図１０参照。図１０では、ＩＣライター６１０である第１のＩＣライター６１０や第２のＩＣライター６１０等のＩＣライター６１０毎に各情報が記憶部１１２に格納されている）。ここで、有効鍵（商用）と有効鍵（テスト用）は、書込鍵で暗号化されている。なお、認証情報Ｂ１は、後のステップＡ４で出荷される通信制御ＩＣ２３が記憶する認証情報Ｂ１と同じ情報である。通信制御ＩＣ２３はステップＡ４において複数出荷されるので、本実施形態における記憶部１１２には、各通信制御ＩＣ２３に対応して、複数の認証情報Ｂ１がセキュリティ管理情報毎に格納されている（図１０参照）。
【００８４】
ここで、有効鍵（商用）、有効鍵（テスト用）は、通信制御ＩＣ２３に設定されることによって、通信制御ＩＣ２３に所定の処理（本実施形態では、不正監視制御部１２との通信）を行わせることを許可する情報である。有効鍵（商用）は、カードユニット２０が遊技場５００に設置された後に、通信制御ＩＣ２３に設定される。有効鍵（テスト用）は、カードユニット２０がカードユニットメーカー６００から出荷される前において、通信制御ＩＣ２３に設定される。本実施形態では、有効鍵（商用）、又は、有効鍵（テスト用）が通信制御ＩＣ２３の記憶部２３ｂに格納されることによって、有効鍵（商用）、又は、有効鍵（テスト用）が通信制御ＩＣ２３に設定される。
【００８５】
動作制御情報は、ＩＣライター６１０が所定の動作（例えば、通信制御ＩＣ２３への情報の書き込み）を行うことができる条件を特定するものである。例えば、動作制御情報が第１の内容（例えば、「１」）である場合には、ＩＣライター６１０は、鍵管理センターサーバ３１０と通信出来ても出来なくても、所定の動作ができる。一方、例えば、動作制御情報が第２の内容（例えば、「２」）である場合には、ＩＣライター６１０は、鍵管理センターサーバ３１０と通信出来る場合にのみ所定の動作が出来る。
【００８６】
初期暗号情報Ｂは、暗号通信に使用される鍵を含む情報であり、暗号通信を行うための情報である。初期暗号情報Ｂは、前記鍵の種別等を識別する情報等を含んでも良い。
【００８７】
暗号情報Ｂは、暗号通信に使用される鍵を含む情報であり、暗号通信を行うための情報である。暗号情報Ｂは、前記鍵の種別等を識別する情報等を含んでも良い。
【００８８】
認証情報Ｂ１は、通信制御ＩＣ２３を認証するために使用される情報であり、ここでは、通信制御ＩＣ２３を識別する識別情報を含む。本実施形態では、認証情報Ｂ１は、通信制御ＩＣ２３毎にユニークな情報からなる。
【００８９】
制御部１１１は、ステップＡ１において出荷されたＩＣライター６１０の記憶部６１２に格納されているセキュリティ管理情報と同じ（例えば、両情報が同じ情報である等して同じものを識別している場合）セキュリティ管理情報と、この情報に対応付いている有効鍵（商用）、有効鍵（テスト用）、配送鍵、動作制御情報、初期暗号情報Ｂ、及び、暗号情報Ｂとを、記憶部１１２から特定し、鍵管理センターサーバ３１０に送信する。鍵管理センターサーバ３１０の制御部３１１は、受信した前記情報を、それぞれの対応関係を維持したまま記憶部３１２に格納する。このようにして、前記の情報は鍵管理センターサーバ３１０に登録される。なお、前記の送信は、例えば、チップメーカー１００の従業員によるチップメーカーコンピュータ１１０への操作（上記情報の送信を指示する操作）に基づいて行われる。
【００９０】
記憶部３１２には、初期暗号情報Ａ、暗号情報Ａ、日時情報、セキュリティチップＩＤが格納されている。
【００９１】
初期暗号情報Ａは、暗号通信に使用される鍵を含む情報であり、暗号通信を行うための情報である。初期暗号情報Ａは、前記鍵の種別等を識別する情報等を含んでも良い。
【００９２】
暗号情報Ａは、暗号通信に使用される鍵を含む情報であり、暗号通信を行うための情報である。暗号情報Ａは、前記鍵の種別等を識別する情報等を含んでも良い。
【００９３】
日時情報は、現在の日時を表す情報である。例えば、制御部１１１は、制御部１１１が含むカレンダ部（図示せず）を参照し、現在の日時を取得し、取得した日時を日時情報としてリアルタイムで更新していく。
【００９４】
セキュリティチップＩＤは、セキュリティチップ２２を識別する情報であり、カードユニットメーカー６００毎に割り当てられた識別情報である。この識別情報は、セキュリティ管理情報に含まれる識別情報に対応している（例えば、同一の内容を示している）。セキュリティチップＩＤは、英数字の組み合わせ等からなる。セキュリティチップＩＤは、カードユニットメーカー６００毎に、カードユニットメーカー６００を識別する識別情報に対応付けられて記憶部３１２に格納されている。
【００９５】
記憶部３１２には、初期暗号情報Ａ、暗号情報Ａが複数格納され、セキュリティチップＩＤも、カードユニットメーカー６００と同数だけ格納される。なお、セキュリティチップＩＤはカードユニットメーカー６００によらず全て共通の内容を示すものであってもよい。初期暗号情報Ａ、暗号情報Ａも、適宜、カードユニットメーカー６００によらず全て共通の内容を示すものであってもよい。
【００９６】
制御部３１１は、チップメーカーコンピュータ１１０から受信したセキュリティ管理情報等を記憶部３１２に格納するときに、複数の初期暗号情報Ａ、暗号情報Ａのうち、予め定められた方法によって選択した（例えば、ランダムに選択した）初期暗号情報Ａ、暗号情報Ａをこのセキュリティ管理情報等に対応付ける。また、制御部３１１は、このセキュリティ管理情報に含まれる識別情報に対応するセキュリティチップＩＤをこのセキュリティ管理情報等に対応付ける。さらに、制御部３１１は、このセキュリティ管理情報等に日時情報を対応付ける。制御部３１１は、セキュリティ管理情報等に対応付けた初期暗号情報Ａ、暗号情報Ａは、他のセキュリティ管理情報等に対応付けない。
【００９７】
セキュリティ管理情報に対応付けられた初期暗号情報Ａ、暗号情報Ａは、セキュリティ管理情報毎に異なり、セキュリティ管理情報に対応付けられた日時情報は、セキュリティ管理情報全てにおいて共通し、セキュリティ管理情報に対応付けられたセキュリティチップＩＤは、セキュリティ管理情報に対応するＩＣライター６１０の出荷先毎に異なることになる。
【００９８】
制御部３１１は、ステップＡ２で記憶部３１２に格納した有効鍵（商用）と初期暗号情報Ａとを上位サーバ５１０に登録する（ステップＡ３）。なお、有効鍵（商用）は、書込鍵で暗号化された状態のまま上位サーバ５１０に登録される。
【００９９】
カードユニットメーカー６００の従業員等は、例えば、チップメーカー１００から出荷されたＩＣライター６１０と、カードユニットメーカー６００で製造された上位サーバ５１０と、を接続し、両者を操作して、ＩＣライター６１０の記憶部６１２に格納されたセキュリティ管理情報を、ＩＣライター６１０から上位サーバ５１０に供給させる。さらに、前記従業員等は、上位サーバ５１０をネットワークＮに接続する等して、鍵管理センターサーバ３１０と通信可能な状態にし、上位サーバ５１０を操作し、有効鍵（商用）等の取得要求と前記で供給されたセキュリティ管理情報とを上位サーバ５１０から鍵管理センターサーバ３１０に供給させる。鍵管理センターサーバ３１０の制御部３１１は、上位サーバ５１０から供給されたセキュリティ管理情報に対応付けられた有効鍵（商用）と初期暗号情報Ａとを記憶部３１２から取得して上位サーバ５１０に送信する。上位サーバ５１０の制御部５１１は、鍵管理センターサーバ３１０から送信された有効鍵（商用）と初期暗号情報Ａとを記憶部５１２に格納する。このようにして、有効鍵（商用）と初期暗号情報Ａとが上位サーバ５１０に登録される。なお、上位サーバ５１０において、セキュリティ管理情報は、記憶部５１２から消去されるものとする。ここで、有効鍵（商用）や初期暗号情報Ａは、セキュリティ管理情報によらず共通するものであってもよく、この場合には、上記のようなＩＣライター６１０と上位サーバ５１０とを接続して、上位サーバ５１０にセキュリティ管理情報を上位サーバ５１０に記憶させなくてよい。この場合、上位サーバ５１０は、適宜のタイミングで、有効鍵（商用）と初期暗号情報Ａとを取得できる。
【０１００】
さらに、チップメーカー１００は、通信制御ＩＣ２３を製造（量産）し、カードユニットメーカー６００に出荷する（ステップＡ４）。
【０１０１】
各通信制御ＩＣ２３の記憶部２３ｂには、書込鍵、セキュリティ管理情報、通信制御ＩＣ２３毎に内容の異なる認証情報Ｂ１、プログラム等が格納されている。セキュリティ管理情報は、前記ステップＡ１で出荷されているＩＣライター６１０のセキュリティ管理情報と同じ情報である。
【０１０２】
制御部１１１は、記憶部１１２に格納されている複数の認証情報Ｂ１のうち、ステップＡ１において出荷されたＩＣライター６１０のセキュリティ管理情報と同じ内容を示す（例えば、両情報が同じ情報である等して同じものを識別している場合）セキュリティ管理情報に対応付けられた複数の認証情報Ｂ１を、鍵管理センターサーバ３１０に登録する（ステップＡ５）。
【０１０３】
制御部１１１は、前記認証情報Ｂ１を、この認証情報Ｂ１に対応付けられたセキュリティ管理情報とともに鍵管理センターサーバ３１０に送信する。鍵管理センターサーバ３１０の制御部３１１は、記憶部３１２に複数格納されているセキュリティ管理情報のうち、受信したセキュリティ管理情報と同じ（例えば、両情報が同じ情報である等して同じものを識別している場合）セキュリティ管理情報に対応付けて、認証情報Ｂ１を記憶部３１２に格納する。このようにして、認証情報Ｂ１は鍵管理センターサーバ３１０に登録される。なお、前記の送信は、例えば、チップメーカー１００の従業員によるチップメーカーコンピュータ１１０への操作（上記情報の送信を指示する操作）に基づいて行われる。
【０１０４】
図８に示すように、ＩＣライター６１０の制御部６１１は、記憶部６１２に格納されているセキュリティ管理情報を鍵管理センターサーバ３１０に送信し、鍵管理センターサーバ３１０の制御部３１１は、ＩＣライター６１０から送信されたセキュリティ管理情報を、ステップＡ２で記憶部３１２に格納したセキュリティ管理情報と照合する（ステップＡ６）。なお、前記の送信は、例えば、カードユニットメーカー６００の従業員によるＩＣライター６１０への操作（上記情報の送信を指示する操作）に基づいて行われる。
【０１０５】
ステップＡ６における照合結果が照合ＯＫであった場合（両セキュリティ管理情報が同じ内容であった場合）、制御部３１１は、照合ＯＫであったセキュリティ管理情報に対応付けられて記憶部３１２に格納されている情報のうち、有効鍵（テスト用）、動作制御情報、初期暗号情報Ｂ、初期暗号情報Ａ、日時情報、暗号情報Ａ、セキュリティチップＩＤを配送鍵で暗号化してＩＣライター６１０に送信する。ＩＣライター６１０の制御部６１１は、受信した上記各情報を記憶部６１２に格納されている配送鍵で復号化して、記憶部６１２に格納する。このようにして、ＩＣライター６１０に前記の各情報が書き込まれることとなる（ステップＡ７）。
【０１０６】
一方、上記ステップＡ６における照合結果が照合ＮＧであった場合、制御部３１１は、その旨をＩＣライター６１０に通知するとともに、その後の処理を停止し、入出力部３１３等を介して、所定の報知処理（例えば入出力部３１３に含まれる表示部への照合ＮＧの旨の表示、入出力部３１３に含まれるブザーを鳴らす等）を行う。このような処理を行うことで、ＩＣライター６１０が正当でない旨を報知することが出来る。つまり、ＩＣライター６１０のすり替え等に対するセキュリティが確保されている。
【０１０７】
本実施形態では、動作制御情報は、鍵管理センターサーバ３１０と通信出来ても出来なくても、所定の動作ができる、例えば「１」となっている。このため、記憶部３１２に動作制御情報が格納されれば、ＩＣライター６１０は、鍵管理センターサーバ３１０との通信接続が切断された場合であっても、通信制御ＩＣ２３への情報の書き込みが行える。また、動作制御情報は、前記の照合が照合ＯＫの場合に、他の情報とともに記憶部３１２に格納されるので、不当な装置に、前記情報が格納されることが防止されてセキュリティも確保されている。
【０１０８】
ＩＣライター６１０の制御部６１１は、ステップＡ７で記憶部６１２に格納した情報のうち、日時情報とセキュリティ管理情報とに基づいて、基板シリアル番号を生成し、記憶部６１２に格納する（ステップＡ８）。例えば、制御部６１１は、乱数回路を備え、乱数回路が生成した乱数と、日時情報と、セキュリティ管理情報とを論理演算し、基板シリアル番号を生成する。
【０１０９】
基板シリアル番号は、セキュリティ基板２４を識別するための番号になる。基板シリアル番号は、セキュリティ基板２４毎にユニークな番号になる。
【０１１０】
続いて制御部６１１は、上記ステップＡ８で生成して記憶部６１２に格納した基板シリアル番号に基づいて、認証情報Ａ及び認証情報Ｂ２を生成し、記憶部６１２に格納する（ステップＡ９）。例えば、制御部６１１は、乱数回路を備え、乱数回路が生成した乱数と、基板シリアル番号とを論理演算して、認証情報Ａ及び認証情報Ｂ２を生成する。
【０１１１】
認証情報Ａは、セキュリティ基板２４を識別するためのＩＤであり、セキュリティ基板２４の認証に用いられる。詳しくは後述するが、本実施形態では、認証情報Ａは、セキュリティ基板２４毎にユニークな情報である。
【０１１２】
認証情報Ｂ２は、カードユニット２０を識別するためのＩＤになる。詳しくは後述するが、本実施形態では、認証情報Ｂ２は、カードユニット２０毎にユニークな情報である。
【０１１３】
図９に示すように、ＩＣライター６１０の制御部６１１は、通信制御ＩＣ２３が記憶するセキュリティ管理情報とＩＣライター６１０の記憶部６１２に格納されているセキュリティ管理情報と照合する（ステップＡ１０）。例えば、ＩＣライター６１０の制御部６１１は、上記認証情報Ａ等を生成した後に、読取書込部６１５を介して、通信制御ＩＣ２３からセキュリティ管理情報を読み取り、読み取ったセキュリティ管理情報とＩＣライター６１０の記憶部６１２に格納されているセキュリティ管理情報と照合する。これにより、通信制御ＩＣ２３のすり替えを検出できるので、セキュリティが確保される。
【０１１４】
ステップＡ１０における照合結果が照合ＯＫであった場合（両セキュリティ管理情報が同じ内容であった場合）、通信制御ＩＣ２３はチップメーカー１００から出荷された真性なものであるので、制御部６１１は、読取書込部６１５を介して、通信制御ＩＣ２３から認証情報Ｂ１を読み取り、読み取った認証情報Ｂ１を直近のステップＡ９で生成、格納した認証情報Ａ及び認証情報Ｂ２に対応付けて記憶部６１２に格納する（ステップＡ１０．５）。
【０１１５】
一方、ステップＡ１０における照合結果が照合ＮＧであった場合、制御部６１１は、その後の処理を停止し、入出力部６１３等を介して、所定の報知処理（例えば入出力部６１３に含まれる表示部への照合ＮＧの旨の表示、入出力部６１３に含まれるブザーを鳴らす等）を行う。これによって、通信制御ＩＣ２３のすり替えを報知できる。
【０１１６】
次に、制御部６１１は、記憶部６１２に格納されている情報のうち、ステップＡ８で生成した基板シリアル番号と、ステップＡ９で生成した認証情報Ａ及びＢ２と、ステップＡ７で書き込まれた有効鍵（テスト用）、初期暗号情報Ｂ、初期暗号情報Ａ、暗号情報Ａ、及び、セキュリティチップＩＤと、を通信制御ＩＣ２３に書き込む（ステップＡ１１）。これによって、真性の通信制御ＩＣ２３に情報が書き込まれる。なお、このとき、ＩＣライター６１０は、さらにに、他の情報（プログラム等を適宜含む）を通信制御ＩＣ２３に書き込んでもよい。
【０１１７】
通信制御ＩＣ２３の処理部２３ａは、ステップＡ１１で記憶部２３ｂに上記基板シリアル番号等の情報が格納されると、セキュリティチップ２２からセキュリティチップＩＤを取得し、取得したセキュリティチップＩＤと記憶部２３ｂに格納しているセキュリティチップＩＤとを照合する（ステップＡ１２）。具体的には、通信制御ＩＣ２３の処理部２３ａは、セキュリティチップＩＤの送信要求をセキュリティチップ２２に送信する。セキュリティチップ２２の処理部２２ａは、送信要求を受け取ると、記憶部２２ｂに格納しているセキュリティチップＩＤを通信制御ＩＣ２３に送信する。通信制御ＩＣ２３の処理部２３ａは、受信したセキュリティチップＩＤを、記憶部２３ｂに格納しているセキュリティチップＩＤと照合する。
【０１１８】
なお、通信制御ＩＣ２３とセキュリティチップ２２とは、適宜のタイミングで、セキュリティ基板２４に実装され、両者は通信可能になっているものとする。
【０１１９】
上記ステップＡ１２における照合結果が照合ＯＫであった場合、セキュリティチップ２２が正当なものであることが確認されるので、処理部２３ａは、記憶部２３ｂに格納されている情報のうち、予め記憶されているセキュリティ管理情報と、上記ステップＡ１１で格納した基板シリアル番号、認証情報Ａ及びＢ、テスト用の有効鍵、初期暗号情報Ｂ、初期暗号情報Ａ、及び、暗号情報Ａと、をセキュリティチップ２２に送信する。セキュリティチップ２２の処理部２２ａは、通信制御ＩＣ２３から受信した上記各情報を記憶部２２ｂに格納する。これによりセキュリティチップ２２に情報が書き込まれることとなる（ステップＡ１３）。なお、処理部２３ａは、ステップＡ１３において、記憶部２３ｂに格納されている書込鍵を、セキュリティチップ２２にさらに送信してもよい。これによりセキュリティチップ２２においても暗号化された有効鍵（商用）又は有効鍵（テスト用）を復号してもよい。
【０１２０】
一方、ステップＡ１２における照合結果が照合ＮＧであった場合、処理部２３ａは、その後の処理を停止し、照合ＮＧの旨をＩＣライター６１０に送信する。制御部６１１は、照合ＮＧの旨を受信すると、処理を中止し、入出力部６１３等を介して、所定の報知処理（例えば入出力部６１３に含まれる表示部への照合ＮＧの旨の表示、入出力部６１３に含まれるブザーを鳴らす等）を行う。セキュリティチップ２２自体が正当なものでないので、このような処理を行うことで、その旨を報知することが出来る。
【０１２１】
また、ＩＣライター６１０の制御部６１１は、セキュリティ管理情報及び基板シリアル番号と、直近のステップＡ９で生成した認証情報Ａ及び認証情報Ｂ１と、直近のステップＡ１０．５で送信された認証情報Ｂ２と、それぞれ対応付けて鍵管理センターサーバ３１０に送信する。鍵管理センターサーバ３１０の制御部３１１は、ＩＣライター６１０から受信した上記各情報のうちの認証情報Ｂ１と、上記ステップＡ５で記憶部３１２に格納された複数の認証情報Ｂ１のうち、上記各情報に対応するセキュリティ管理情報と同じセキュリティ管理情報（例えば、両情報が同じ情報である等して同じものを識別している場合）に対応付けられた認証情報Ｂ１とを照合する。認証情報Ｂ１の照合結果が照合ＯＫであった場合（ＩＣライター６１０から受信した認証情報Ｂ１と同じ内容の認証情報Ｂ１が記憶部３１２に格納されていた場合）、制御部３１１は、ＩＣライター６１０から受信した上記各情報と、暗号情報Ａと、暗号情報Ｂと、初期暗号情報Ａと、初期暗号情報Ｂと、セキュリティチップＩＤとを対応付けて、セキュリティ基板情報として記憶部３１２に格納する。これにより鍵管理センターサーバ３１０に後の認証で用いる情報が登録されることとなる（ステップＡ１４）。
【０１２２】
一方、上記ステップＡ１４における照合結果が照合ＮＧであった場合、制御部３１１は、その旨をＩＣライター６１０に通知するとともに、その後の処理を停止し、入出力部３１３等を介して、所定の報知処理（例えば入出力部３１３に含まれる表示部への照合ＮＧの旨の表示、入出力部３１３に含まれるブザーを鳴らす等）を行う。このような処理を行うことで、ＩＣライター６１０が正当でない旨を報知することが出来る。
【０１２３】
上記ステップＡ８からステップＡ１４は、量産されるカードユニット２０の数だけ（つまり、通信制御ＩＣ２３とセキュリティチップ２２とを実装したセキュリティ基板２４を量産する数だけ）、繰り返される。この結果、セキュリティ管理情報、基板シリアル番号、認証情報Ａ、認証情報Ｂ１、認証情報Ｂ２、暗号情報Ａ、暗号情報Ｂ、初期暗号情報Ａ、初期暗号情報Ｂ、及び、セキュリティチップＩＤは、互いに対応付けられて、量産されるカードユニット２０の数だけ、記憶部３１２に格納されることになる。記憶部３１２に格納されるこれらの情報を図１１に示す。なお、図１１は、１つのＩＣライター６１０（同じ内容のセキュリティ管理情報）についての、各情報の対応関係を表している。本実施形態では、認証情報Ａ、認証情報Ｂ１、及び、認証情報Ｂ２は、それぞれが、カードユニット２０毎（通信制御ＩＣ２３とセキュリティチップ２２とを実装したセキュリティ基板２４毎）に異なる情報になっている。
【０１２４】
上記各ステップにおいて、通信制御ＩＣ２３とＩＣライター６１０との間で情報の送受信（上記書き込みや読み取り等）が行われる場合、送受信される情報は、それぞれの記憶部が記憶する書込鍵で暗号化及び復号化される。また、ＩＣライター６１０と鍵管理センターサーバ３１０との間で情報の送受信（上記照合や読み取り等）が行われる場合、送受信される情報は、配送鍵で暗号化及び復号化される。これによって、暗号通信が行われるので、通信の安全性が確保される。
【０１２５】
また、上記照合で、照合ＮＧになった場合には、所定の回数、前記の照合を含むステップを繰り返し、所定の回数すべてが照合ＮＧになった場合にのみ、上記照合ＮＧに応じた処理を行うようにしてもよい。
【０１２６】
以上のような処理によって、それぞれの集積回路やＩＣライター６１０等に情報が書き込まれ、また、カードユニットメーカー６００は、これら処理とは別にカードユニット２０の筐体や主制御部２１等を製造し、製造した筐体、主制御部２１等と、前記処理によって情報が書き込まれた通信制御ＩＣ２３及びセキュリティチップ２２を実装したセキュリティ基板２４と、を組み合わせて、カードユニット２０を製造する。また、これとは並行して上位サーバ５１０もカードユニットメーカー６００によって製造されている。本実施形態では、カードユニット６００は、カードユニット２０と上位サーバ５１０とをセットで、遊技場５００に出荷する。また、以上のような処理によって、鍵管理センターサーバ３１０には、後の認証用の情報が登録される。
【０１２７】
上記一連のステップによれば、有効鍵（商用）は、書込鍵で暗号化された状態のままで、上位サーバ５１０に記憶されることになるので、有効鍵（商用）の秘匿性が守られている。
【０１２８】
また、通信制御ＩＣ２３の記憶部には、有効鍵（テスト用）が格納されるので、通信制御ＩＣ２３は、上述の所定の動作を行うことができる状態になっている。また、通信制御ＩＣ２３がカードユニットメーカー６００の納品される前では、通信制御ＩＣ２３には、有効鍵（テスト用）も有効鍵（商用）も設定されないので、このときに、第三者が通信制御ＩＣ２３の動作等を解析するために、通信制御ＩＣ２３を不正に動作させることができず、セキュリティが確保されている。
【０１２９】
（カードユニット２０の動作確認）
次に、カードユニット２０の動作確認について説明する。カードユニットメーカー６００では、上記ステップＡ１３の後、つまり、通信制御ＩＣ２３とセキュリティチップ２２とをセキュリティ基板２４に実装して、所定の情報を書き込みした後に、パチンコ機１０と通信制御ＩＣ２３との通信が正常に行われるか否かを確認する動作確認が行われる。
【０１３０】
ここで、通信制御ＩＣ２３は、テスト用のパチンコ機１０と接続され、動作確認がなされる。また、通信制御ＩＣ２３に設定されている有効鍵（テスト用）は、通信制御ＩＣ２３の記憶部２３ｂのＲＡＭに格納されている。有効鍵（テスト用）の格納後、動作確認までは、記憶部２３ｂに有効鍵（テスト用）が格納されたままの状態で、通信制御ＩＣ２３に電力が供給され続ける。
【０１３１】
上記状態において、例えば、通信制御ＩＣ２３は、動作確認のために、テスト用のパチンコ機１０と接続される。通信制御ＩＣ２３は、テスト用のパチンコ機１０と接続されると、記憶部２３ｂに有効鍵（商用）又は有効鍵（テスト用）が格納されているか否かを判別する。例えば、パチンコ機１０の不正監視制御部１２はテスト用の情報を有しており、通信制御ＩＣ２３とパチンコ機１０との接続時において、通信制御ＩＣ２３には、このテスト用の情報が供給される。通信制御ＩＣ２３は、この情報が供給されると前記の判別を行う。
【０１３２】
ここでは、記憶部２３ｂにテスト用の有効鍵が格納されているため、制御部２３ａは、有効鍵が格納されている（つまり、パチンコ機１０と通信可能である）と判別する。このため、通信制御ＩＣ２３の処理部２３ａは、不正監視制御部１２と、予め定められている（予めプログラムされている）通信を実際に行う。これによって、通信制御ＩＣ２３（通信制御ＩＣ２３とセキュリティチップ２２とが実装されたセキュリティ基板２４）の動作確認がなされる。このようにして、本実施形態では、利便性を損なうことなく、動作確認が行われる。
【０１３３】
なお、通信制御ＩＣ２３は、仮に有効鍵（商用）又は有効鍵（テスト用）を記憶していない場合には、その後の処理を中止する。
【０１３４】
上記のような処理によって、カードユニット２０が遊技場５００に出荷される前において、通信制御ＩＣ２３の動作確認を行うことができる。
【０１３５】
また、有効鍵（テスト用）は、動作確認後に通信制御ＩＣ２３から消去される。有効鍵（テスト用）は、ここでは、記憶部２３ｂのＲＡＭ（揮発性記憶手段の一例）に格納されており、動作確認後に通信制御ＩＣ２３への電力の供給は中止されるからである。このため、例えば、動作確認後の、通信制御ＩＣ２３を不正に動作させることが防止される。そして、有効鍵（テスト用）が漏洩し難くなっている。有効鍵（テスト用）は、処理部２３ａが所定のタイミングで、記憶部２３ｂから削除してもよい。
【０１３６】
（遊技機５００へ設置されたカードユニット２０及びパチンコ機１０等の動作）
カードユニットメーカー６００が製造したカードユニット２０及び上位サーバ５１０と、遊技機メーカーが製造したパチンコ機１０は、出荷先の遊技場５００に設置されることになる。このときの、遊技用システム１の動作について、図１２から図１８を参照して説明する。なお、上記と同様に、図１２から図１８において、実線で囲まれた情報は以前から格納された情報を示し、破線で囲まれた情報は処理中に格納される情報を示す。下線を付した情報は書込鍵で暗号化されている情報を示す。なお、下記の処理は、複数のカードユニット２０及びパチンコ機１０それぞれについて行われる。
【０１３７】
主制御部２１の処理部２１ａは、カードユニット２０に通常動作用のカードが挿入され、カードユニット２０の電源が投入されたことを契機として（この時、パチンコ機１０の電源も投入されているものとする。）、図１２に示すように、上位サーバ５１０との接続を要求する接続要求を上位サーバ５１０へ送信する（ステップＢ１）。
【０１３８】
上位サーバ５１０の制御部５１１は、処理部２１ａからの接続要求を受信すると、記憶部５１２に格納されている有効鍵（商用）と初期暗号情報Ａを主制御部２１に送信（配信）し、主制御部２１の処理部２１ａは受信した有効鍵（商用）と初期暗号情報Ａとを記憶部２１ｂに格納する（ステップＢ２）。なお、上記のように、上位サーバ５１０に格納されている有効鍵（商用）は、書込鍵によって暗号化されたままの状態であり、記憶部２１ｂに格納された有効鍵（商用）も暗号化された状態が維持されている。このように、主制御部２１は、上位サーバ５１０と通信を確立することにより有効鍵（商用）を取得するため、有効鍵（商用）は、適したタイミングで主制御部２１に送信されるので、セキュリティが確保されている。
【０１３９】
なお、ステップＢ２の有効鍵（商用）等の送信前において、主制御部２１と制御部５１１とは相互認証を行っても良い。この場合、記憶部２１ｂ及び記憶部５１２には、予め、認証用の共通の情報が格納されており、主制御部２１と制御部５１１とは、それぞれ、記憶部２１ａと記憶部５１２とのそれぞれに格納されている認証用の情報をやり取りして照合することによって相互認証を行う。これによって、特に、有効鍵（商用）の送信ついて、セキュリティが確保されている。
【０１４０】
続いて主制御部２１の処理部２１ａは、記憶部２１ｂに格納した初期暗号情報Ａをセキュリティチップ２２に送信する。セキュリティチップ２２の処理部２２ａは、主制御部２１から受信した初期暗号情報Ａを、記憶部２２ｂに記憶されている初期暗号情報Ａと照合する。また、セキュリティチップ２２の処理部２２ａは、予め記憶部２２ｂに格納されている初期暗号情報Ａを主制御部２１に送信する。主制御部２１の処理部２１ａは、受信した初期暗号情報Ａを、ステップＢ２で記憶部２１ｂに格納した初期暗号情報Ａと照合する。これにより主制御部２１とセキュリティチップ２２は、初期暗号情報Ａによる相互認証を行う（ステップＢ３）。
【０１４１】
なお、処理部２１ａと処理部２２ａとは、ステップＢ３において、初期暗号情報Ａに含まれる鍵を用いた暗号通信を行って、相互認証を行っても良い。この場合、記憶部２１ｂ及び記憶部２２ｂには、予め、認証用の共通の情報が格納されており、処理部２１ａと処理部２２ａとは、それぞれ、記憶部２１ａと記憶部２２ｂとのそれぞれに格納されている認証用の情報をやり取りして照合することによって、上記初期暗号情報Ａの場合と同様にして相互認証を行う。処理部２１ａと処理部２２ａとは、ここでやり取りされる情報を初期暗号情報Ａに含まれる鍵で暗号化及び復号化し、相互認証を行う。
【０１４２】
ステップＢ３における相互認証に成功した場合（例えば、照合すべてにおいて、照合ＯＫの場合）、主制御部２１の処理部２１ａは、セキュリティチップ２２の記憶部２２ｂに格納されている情報の送信を要求する情報送信要求を、セキュリティチップ２２に送信する（ステップＢ４）。一方ステップＢ３における相互認証に失敗した場合（例えば、少なくとも一部の照合において、照合ＮＧがあった場合）、処理部２１ａと処理部２２ａとのうちの少なくともいずれか（少なくとも照合ＮＧと判別した方）は、その後の処理を中止し、全体として、カードユニット２０の動作が中止される。処理部２１ａは、例えば、カードユニット２０のランプを点灯させる等して、相互認証に失敗した旨を報知してもよい。
【０１４３】
セキュリティチップ２２の処理部２２ａは、情報送信要求を受信すると、乱数等を用いて基板問合せ番号を生成し、生成した基板問合せ番号と記憶部２２ｂに格納されている基板シリアル番号とを主制御部２１に送信する（ステップＢ５）。このとき、処理部２２ａは、基板問合せ番号を初期暗号情報Ｂに含まれる鍵で暗号化し、基板シリアル番号と暗号化された基板問合せ番号とを、記憶部２２ｂが記憶する初期暗号情報Ａに含まれる鍵を用いてさらに暗号化し、暗号化した情報を暗号化情報として、主制御部２１に送信する。処理部２２ａは、情報送信要求を受信する度に基板問合せ番号を生成する。したがって基板問合せ番号は、情報送信要求毎にユニークな番号となる。
【０１４４】
次に、ステップＢ６において、主制御部２１の処理部２１ａは、セキュリティチップ２２から送信された暗号化情報を、記憶部２１ｂが記憶する初期暗号情報Ａに含まれる鍵で復号化し、復号した基板シリアル番号と同じ内容（例えば、番号が同じことをいう。基板シリアル番号について、以下同じ。）を示す基板シリアル番号が、記憶部２１ｂに格納されているか否かを検索する。さらに、ステップＢ６において、処理部２１ａは、検索の結果、同じ内容の基板シリアル番号が記憶部２１ｂに格納されていない場合（ここでは、カードユニット２０が遊技場５００に設置されたばかりなので、検索の結果はこの結果になる。）、初期暗号情報Ａに含まれる鍵で復号化した、基板シリアル番号と基板問合せ番号（初期暗号情報Ｂに含まれる鍵で暗号化されたままである。）とを記憶部２１ｂに格納するとともに、上位サーバ５１０にこれらの情報を送信する。処理部２１ａは、基板シリアル番号と暗号化されたままの基板問合せ番号とを、記憶部２１ｂが記憶する初期暗号情報Ａに含まれる鍵を用いてさらに暗号化し、暗号化した情報を暗号化情報として、上位サーバ５１０に送信する。同じ内容の基板シリアル番号が記憶部２１ｂに格納されている場合については、後述する。
【０１４５】
次に、ステップＢ７において、上位サーバ５１０の制御部５１１は、主制御部２１から送信された暗号化情報を、記憶部５１２が記憶する初期暗号情報Ａに含まれる鍵で復号化し、復号した基板シリアル番号と同じ内容の基板シリアル番号が、記憶部５１２に格納されているか否かを検索する。さらに、ステップＢ７において、制御部５１１は、検索の結果、同じ内容の基板シリアル番号が記憶部５１２に格納されていない場合（ここでは、カードユニット２０や上位サーバ５１０が遊技場５００に設置されたばかりなので、検索の結果はこの結果になる。）、初期暗号情報Ａに含まれる鍵で復号化した、基板シリアル番号と基板問合せ番号（初期暗号情報Ｂに含まれる鍵で暗号化されたままである。）とを記憶部５１２に格納するとともに、鍵管理センターサーバ３１０にこれらの情報を送信する。制御部５１１は、基板シリアル番号と暗号化されたままの基板問合せ番号とを、記憶部５１２が記憶する初期暗号情報Ａに含まれる鍵を用いてさらに暗号化し、暗号化した情報を暗号化情報として、鍵管理センターサーバ３１０に送信する。同じ内容の基板シリアル番号が記憶部５１２に格納されている場合については後述する。
【０１４６】
ステップＢ８において、鍵管理センターサーバ３１０の制御部３１１は、上位サーバ５１０から送信された暗号化情報をまず記憶部３１２に格納されている初期暗号情報Ａに含まれる鍵で復号化し、復号化した基板シリアル番号と基板問合せ番号（初期暗号情報Ｂで暗号化されたままである。）とのうちの基板問合せ番号を、記憶部３１２に格納されている初期暗号情報Ｂに含まれる鍵を用いて復号する。ステップＢ８において、制御部３１１は、復号した基板シリアル番号と同じ内容を示す基板シリアル番号が記憶部３１２に格納されているか否かを検索する。この検索によって、制御部３１１は、復号した基板シリアル番号と、記憶部３１２に格納されている基板シリアル番号とを照合していることになる。
【０１４７】
ステップＢ８において、検索が成功して、受信したものと同じ内容の基板シリアル番号が格納されていた場合（前記照合が照合ＯＫであった場合）、制御３１１は、この基板シリアル番号に対応する認証情報Ａ、認証情報Ｂ１、認証情報Ｂ２、暗号情報Ａ、暗号情報Ｂ、セキュリティ管理情報を、記憶部３１２から取得して、基板シリアル番号と、受信した基板問合せ番号とともに、上位サーバ５１０に送信する（図１３参照）。ここで、制御部３１１は、上位サーバ５１０に送信する情報のうち、基板問合せ番号、認証情報Ｂ１、認証情報Ｂ２、セキュリティ管理情報、及び、暗号情報Ｂを、記憶部３１２に格納されている初期暗号情報Ｂに含まれる鍵で暗号化する。また、制御部３１１は、上位サーバ５１０に送信する情報のうち、暗号化した情報と、暗号化していない情報である認証情報Ａ、及び暗号情報Ａと、を初期暗号情報Ａに含まれる鍵で暗号化する。そして制御部３１１は、暗号化した情報である暗号化情報を上位サーバ５１０に送信する。
【０１４８】
一方ステップＢ８において検索が失敗した場合（前記照合が照合ＮＧであった場合）、鍵管理センターサーバ３１０の制御部３１１は、上位サーバ５１０にその旨を通知する。上位サーバ５１０の制御部５１１は、鍵管理センターサーバ３１０からその旨が通知されると、所定の報知処理（例えば、入出力部５１３が含む表示装置に、その旨の表示を行う。）を行う。
【０１４９】
上位サーバ５１０の制御部５１１は、鍵管理センターサーバ３１０から暗号化情報を受信すると、記憶部５１２に格納している初期暗号情報Ａに含まれる鍵を用いて、受信した暗号化情報を復号化する。制御部５１１は、復号化した情報を記憶部５１２にそれぞれ対応付けて格納する。記憶部５１２に格納された情報は、基板問合せ番号（暗号化されたままの状態）、認証情報Ｂ１（初期暗号情報Ｂの鍵で暗号化されたままの状態）、認証情報Ｂ２（初期暗号情報Ｂの鍵で暗号化されたままの状態）、セキュリティ管理情報（初期暗号情報Ｂの鍵で暗号化されたままの状態）、暗号情報Ｂ（初期暗号情報Ｂの鍵で暗号化されたままの状態）、基板シリアル番号、認証情報Ａ、暗号情報Ａである。ステップＢ９において、制御部５１１は、記憶部５１２に格納する情報である前記情報を再度初期暗号情報Ａに含まれる鍵で暗号化し、暗号化した情報である暗号化情報を主制御部２１に送信する。
【０１５０】
ステップＢ１０において、主制御部２１の処理部２１ａは、上位サーバ５１０から暗号化情報を受信すると、記憶部２１ｂに格納している初期暗号情報Ａに含まれる鍵を用いて、受信した暗号化情報を復号化する。処理部２１ａは、復号化した情報をそれぞれ対応付けて記憶部２１ｂに格納する。記憶部２１ｂに格納された情報は、基板問合せ番号（初期暗号情報Ｂの鍵で暗号化されたままの状態）、認証情報Ｂ１（初期暗号情報Ｂの鍵で暗号化されたままの状態）、認証情報Ｂ２（初期暗号情報Ｂの鍵で暗号化されたままの状態）、セキュリティ管理情報（初期暗号情報Ｂの鍵で暗号化されたままの状態）、暗号情報Ｂ（初期暗号情報Ｂで暗号化されたままの状態）、基板シリアル番号、認証情報Ａ、暗号情報Ｂである。
【０１５１】
続いて、ステップＢ１０において、処理部２１ａは、記憶部２１ｂに格納した認証情報Ａをセキュリティチップ２２に送信する。セキュリティチップ２２の処理部２２ａは、主制御部２１から受信した認証情報Ａを、記憶部２２ｂに記憶されている認証情報Ａと照合する。また、セキュリティチップ２２の処理部２２ａは、前記照合後に、予め記憶部２２ｂに格納されている認証情報Ａを主制御部２１に送信する。主制御部２１の処理部２１ａは、受信した認証情報Ａを、記憶部２１ｂに格納した認証情報Ａと照合する。これにより主制御部２１とセキュリティチップ２２とは、認証情報Ａによる相互認証を行う（ステップＢ１０）。なお、処理部２１ａと処理部２２ａとは、認証情報Ａのやりとりを初期暗号情報Ａに含まれる鍵を用いて暗号化して行ってもよい。この場合、処理部２１ａは、記憶部２１ｂに格納された初期暗号情報Ａに含まれる鍵を用いて認証情報Ａを暗号化し、処理部２２ａは、記憶部２２ｂに格納された初期暗号情報Ａに含まれる鍵を用いて認証情報Ａを復号化し、前記照合を行う。処理部２２ａは、記憶部２２ｂに格納された初期暗号情報Ａに含まれる鍵を用いて認証情報Ａを暗号化し、処理部２１ａは、記憶部２１ｂに格納された初期暗号情報Ａに含まれる鍵を用いて認証情報Ａを復号化し、前記照合を行う。
【０１５２】
ステップＢ１０における相互認証に成功した場合（両照合が照合ＯＫであった場合）、主制御部２１の処理部２１ａとセキュリティチップ２２の処理部２２ａとは、これ以降の通信で記憶部２１ｂ、２２ｂにそれぞれ格納されている暗号情報Ａを用いた暗号通信を行う（ステップＢ１１）。
【０１５３】
なお、処理部２１ａと処理部２２ａとは、ステップＢ１１において、初期暗号情報Ａに含まれる鍵を用いた暗号通信を行って、相互認証を行ってもよい。この場合、記憶部２１ｂ及び記憶部２２ｂには、予め、認証用の共通の情報（上記と同様の情報でよい。）が格納されており、処理部２１ａと処理部２２ａとは、それぞれ、記憶部２１ａと記憶部２２ｂとのそれぞれに格納されている認証用の情報をやり取りして照合することによって、上記認証情報Ａの場合と同様にして相互認証を行う。処理部２１ａと処理部２２ａとは、ここでやり取りされる情報を暗号情報Ａに含まれる鍵で暗号化及び復号化し、相互認証を行う。
【０１５４】
ステップＢ１０やステップＢ１１において、前記相互認証に失敗した場合（例えば、少なくとも一部の照合において、照合ＮＧがあった場合）、処理部２１ａと処理部２２ａとのうちの少なくともいずれか（少なくとも照合ＮＧと判別した方）は、その後の処理を中止し、全体として、カードユニット２０の動作が中止される。処理部２１ａは、例えば、カードユニット２０のランプを点灯させる等して、相互認証に失敗した旨を報知してもよい。
【０１５５】
ステップＢ１０やステップＢ１１において、前記相互認証に成功した場合（例えば、全ての照合において、照合ＯＫであった場合）、主制御部２１の処理部２１ａは、図１４に示すように、記憶部２１ｂに格納されている情報のうち、初期暗号情報Ｂに含まれる鍵で暗号化されている各情報（基板問合せ番号、認証情報Ｂ１、認証情報Ｂ２、セキュリティ管理情報、及び、暗号情報Ｂ）と書込鍵で暗号化されている情報（有効鍵（商用））を、暗号情報Ａで暗号化し、暗号化した情報を暗号化情報として、セキュリティチップ２２に送信する（ステップＢ１２）。
【０１５６】
ステップＢ１３において、セキュリティチップ２２の処理部２２ａは、主制御部２１から受信した情報暗号化情報を、まず、記憶部２２ｂに格納されている暗号情報Ａに含まれる鍵で復号する。処理部２２ａは、復号化した情報のうち、初期暗号情報Ｂに含まれる鍵で暗号化されている各情報（基板問合せ番号、認証情報Ｂ１、認証情報Ｂ２、セキュリティ管理情報、及び、暗号情報Ｂ）を、記憶部２２ｂに格納されている初期暗号情報Ｂでそれぞれ復号する。そして、ステップＢ１３において、処理部２２ａは、復号した各情報を、記憶部２２ｂに格納されている各情報とそれぞれ照合し、暗号情報Ｂ以外についての各照合の照合結果がすべて照合ＯＫであった場合、記憶部２２ｂに格納されている各情報を、復号した各情報で上書きし、ステップＢ１４の処理を行う。なお、ここでは、セキュリティチップ２２の記憶部２２ｂには、暗号情報Ｂが格納されていないので、暗号情報Ｂについての照合は照合ＮＧになる。
【０１５７】
セキュリティチップ２２の処理部２２ａは、ステップＢ１３において、暗号情報Ｂ以外についての各照合の照合結果が少なくとも１つが照合ＮＧであった場合、その後の処理を中止し、全体として、カードユニット２０の動作が中止される。
【０１５８】
ステップＢ１４において、処理部２２ａは、記憶部２２ｂに格納した暗号情報Ｂが更新されているか否かを判別する。具体的には、暗号情報Ｂが更新されている場合、上記ステップＢ１３における照合において、暗号情報Ｂについての照合結果が照合ＮＧとなる。そこで、処理部２２ａは、暗号情報Ｂについての照合結果が照合ＮＧで、その他の情報についての照合結果が全て照合ＯＫであった場合、暗号情報Ｂが更新されたと判別する。ここでは、処理部２２ａは、暗号情報Ｂが更新されていると判別し、ステップＢ１３で上書きした暗号情報Ｂを通信制御ＩＣ２３に送信する（ステップＢ１４）。処理部２２ａは、記憶部２２ｂに格納されている基板問合せ番号、認証情報Ｂ１、認証情報Ｂ２、セキュリティ管理情報等の各種情報を前記暗号情報Ｂとともに通信制御ＩＣ２３に送信してもよい。また、処理部２２ａは送信する情報を初期暗号情報Ｂに含まれる鍵で暗号化して、通信制御ＩＣ２３に送信する。
【０１５９】
ステップＢ１５において、通信制御ＩＣ２３の処理部２３ａは、セキュリティチップ２２から送信された暗号化情報Ｂ等を受信し、記憶部２３ｂに格納されている初期暗号情報Ｂに含まれる鍵で復号して、復号した暗号化情報Ｂ等で、記憶部２３ｂに格納されている暗号情報Ｂ等を更新する。そして処理部２３ａは、暗号情報Ｂ等の更新が完了したことを示す更新完了通知を、セキュリティチップ２２に送信する（ステップＢ１５）。
【０１６０】
次に、セキュリティチップ２２の処理部２２ａは、更新完了通知を受信すると、記憶部２２ｂに格納されている認証情報Ｂ２を、記憶部２２ｂに格納された初期暗号情報Ｂに含まれる鍵で暗号化して通信制御ＩＣ２３に送信する。通信制御ＩＣ２３の処理部２３ａは、認証情報Ｂ２を受信すると、受信した認証情報Ｂ２（暗号化されたもの）を、記憶部２３ｂに格納された初期暗号情報Ｂに含まれる鍵で復号し、復号した認証情報Ｂ２を、記憶部２３ｂに格納されている認証情報Ｂ２と照合する。さらに、処理部２３ａは、記憶部２３ｂに格納されている認証情報Ｂ１を、記憶部２３ｂに格納された初期暗号情報Ｂに含まれる鍵で暗号化してセキュリティチップ２２に送信する。セキュリティチップ２２の処理部２２ａは、認証情報Ｂ１を受信すると、受信した認証情報Ｂ１（暗号化されたもの）を、記憶部２３ｂに格納された初期暗号情報Ｂに含まれる鍵で復号し、復号した認証情報Ｂ１を、記憶部２２ｂに格納されている認証情報Ｂ１と照合する。これにより主制御部２１とセキュリティチップ２２は、認証情報Ｂ１及び認証情報Ｂ２による相互認証を行う（ステップＢ１６）。
【０１６１】
図１５に示すように、ステップＢ１６における相互認証に成功した場合（両照合が照合ＯＫであった場合）、処理部２２ａは、記憶部２２ｂに格納されているセキュリティ管理情報を、記憶部２２ｂに格納された初期暗号情報Ｂに含まれる鍵で暗号化して通信制御ＩＣ２３に送信する。通信制御ＩＣ２３の処理部２３ａは、セキュリティ管理情報（暗号化された状態）をセキュリティチップ２２から受信すると、受信したセキュリティ管理情報を記憶部２３ｂに格納された初期暗号情報Ｂに含まれる鍵で復号して、記憶部２３ｂに格納されているセキュリティ管理情報と照合する。これによって、セキュリティ管理情報の照合が行われる（ステップＢ１７）。
【０１６２】
ステップＢ１７における照合結果が照合ＯＫであった場合、通信制御ＩＣ２３の処理部２３ａは、その旨を通知し、セキュリティチップ２２の処理部２２ａと通信制御ＩＣ２３の処理部２３ａとは、その後の通信で記憶部２２ｂ、２３ｂにそれぞれ格納されている暗号情報Ｂを用いた暗号通信を行う（ステップＢ１８）。
【０１６３】
なお、処理部２２ａと処理部２３ａとは、ステップＢ１８において、暗号情報Ｂに含まれる鍵を用いた暗号通信を行って、相互認証を行っても良い。この場合、記憶部２２ｂ及び記憶部２３ｂには、予め、認証用の共通の情報が格納されており、処理部２２ａと処理部２３ａとは、それぞれ、記憶部２２ａと記憶部２３ｂとのそれぞれに格納されている認証用の情報をやり取りして照合することによって、上記認証情報Ｂ１及びＢ２の場合と同様にして相互認証を行う。処理部２２ａと処理部２３ａとは、ここでやり取りされる情報を暗号情報Ｂに含まれる鍵で暗号化及び復号化し、相互認証を行う。相互認証が成功した場合（照合が全て照合ＯＫであった場合）、処理部２２ａは、ステップＢ１９の処理を行う。
【０１６４】
ステップＢ１６やステップＢ１８において前記相互認証に失敗した場合（例えば、少なくとも一部の照合において、照合ＮＧがあった場合）やステップＢ１７での照合が照合ＮＧであった場合、処理部２２ａと処理部２３ａとのうちの少なくともいずれか（少なくとも照合ＮＧと判別した方）は、その後の処理を中止し、全体として、カードユニット２０の動作が中止される。処理部２２ａは、例えば、処理部２１ａにその旨を通知し、処理部２１ａは、カードユニット２０のランプを点灯させる等して、相互認証に失敗した旨を報知してもよい。
【０１６５】
ステップＢ１８の後、セキュリティチップ２２の処理部２２ａは、記憶部２２ｂに格納されている有効鍵（商用）を通信制御ＩＣ２３に設定する（ステップＢ１９）。処理部２２ａは、書込鍵で暗号化されている有効鍵（商用）を、そのまま、通信制御ＩＣ２３に送信し、通信制御ＩＣ２３の処理部２３ａは、受信した有効鍵（商用）を記憶部２３ｂに格納している書込鍵で復号化して、記憶部２３ｂに格納する。復号化後の有効鍵（商用）が記憶部２３ｂに格納されることによって、有効鍵（商用）が通信制御ＩＣ２３に設定されることになる。これによって、通信制御ＩＣ２３（処理部２３ａ）は、不正監視制御部１２と通信することが可能になる。なお、本実施形態では、復号化された有効鍵（商用）は、記憶部２２ｂのＲＡＭ（揮発性記憶手段）に記録されることによって、記憶部２２ｂに格納されている。そのため有効鍵（商用）は、カードユニット２０の電源が遮断されることにより記憶部２２から消去され、電源投入の度に記憶部２２ｂに再度格納されることになる。なお、有効鍵（商用）は、カードユニット２０の電源投入の度に格納されなくてもよい。つまり、有効鍵（商用）は、記憶部２２ｂのＲＡＭではなく、記憶部２２ｂに含まれる不揮発性のメモリに格納されてもよい。
【０１６６】
セキュリティチップ２２の処理部２２ａは、ステップＢ１８で、有効鍵（商用）を設定（送信）すると、その後に、チップ情報要求を通信制御ＩＣ２３に送信する（ステップＢ２０）。
【０１６７】
ステップＢ２０の後、ステップＢ２１以降の処理において、チップ情報の照合（つまり、パチンコ機１０が備える主制御チップ１３等の認証）が行われる。
【０１６８】
ここで、このチップ情報について説明する。チップ情報は、本実施形態では、払出制御チップ１１のチップ情報、主制御チップ１３のチップ情報からなる。
【０１６９】
払出制御チップ１１のチップ情報は、払出制御チップ１１を識別する識別情報であり、本実施形態では、払出制御チップ１１毎にユニークな英数字の組み合わせ等からなる。
【０１７０】
主制御チップ１３のチップ情報は、主制御チップ１３を識別する識別情報であり、本実施形態では、主制御チップ１３毎にユニークな英数字の組み合わせ等からなる。
【０１７１】
払出制御チップ１１のチップ情報は、払出制御チップ１１の記憶部１１ｂに予め格納され、主制御チップ１３のチップ情報は、主制御チップ１３の記憶部１１ｂに予め格納されているものとする。また、各チップ情報は、鍵管理センターサーバ３１０の記憶部３１２にも格納されている。つまり、鍵管理センターサーバ３１０と、払出制御チップ１１や主制御チップ１３とでは、同じ内容のチップ情報（払出制御チップ１１のチップ情報、主制御チップ１３のチップ情報）が記憶されている。これらのチップ情報は、パチンコ機１０が出荷されるときに鍵管理センターサーバ３１０の記憶部３１２に登録される。
【０１７２】
不正監視制御部１２の処理部１２ａは、払出制御チップ１１の処理部１１ａと通信して、払出制御チップ１１の記憶部１１ｂが記憶している払出制御チップ１１のチップ情報を取得できるものとする。
【０１７３】
不正監視制御部１２の処理部１２ａは、払出制御チップ１１を介して主制御チップ１３の処理部１３ａと通信して、主制御チップ１３の記憶部１３ｂが記憶している主制御チップ１３のチップ情報を取得できるものとする。
【０１７４】
また、鍵管理センターサーバ３１０と、通信制御ＩＣ２３とは、同じアルゴリズムで、チップ情報からチップ番号を生成するものとする。例えば、鍵管理センターサーバ３１０の制御部３１１と、通信制御ＩＣ２３の処理部２３ａとは、チップ情報を構成する数値等を用いた論理演算によってチップ番号を生成する。同じ内容のチップ情報からは、同じチップ番号が生成される。鍵管理センターサーバ３１０の記憶部３１２には、チップ情報と、このチップ情報から生成されたチップ番号とが互いに対応付けられて格納されているものとする。
【０１７５】
なお、チップ番号は、払出制御チップ１１のチップ情報、主制御チップ１３のチップ情報毎に生成される（図１７参照）。
【０１７６】
ステップＢ２１以降の処理の説明に戻り、通信制御ＩＣ２３の処理部２３ａは、チップ情報要求を受信すると、不正監視制御部１２と通信し、不正監視制御部１２にチップ情報（払出制御チップ１１のチップ情報、主制御チップ１３のチップ情報）を取得させて処理部２３ａに送信させる。この送信によって、通信制御ＩＣ２３の処理部２３ａは、不正監視制御部１２からのチップ情報を取得する（ステップＢ２１）。さらに、通信制御ＩＣ２３の処理部２３ａは、例えば、チップ情報からチップ番号を生成する（ステップＢ２１）。チップ番号は、払出制御チップ１１のチップ情報、主制御チップ１３のチップ情報毎に生成される（図１７参照）。
【０１７７】
通信制御ＩＣ２３の処理部２３ａは、前記チップ情報と、生成したチップ番号とを、記憶部２３ｂに格納されている暗号情報Ｂに含まれる鍵で暗号化して、セキュリティチップ２２に送信する（ステップＢ２２）。
【０１７８】
セキュリティチップ２２の処理部２２ａは、通信制御ＩＣ２３からチップ情報とチップ番号とを受信すると、記憶部２２ｂに格納されている暗号情報Ｂに含まれる鍵で、受信したチップ情報とチップ番号とを復号するとともに、乱数等を用いてチップ問合せ番号を生成する（ステップＢ２３）。ステップＢ２３において、処理部２２ａは、生成したチップ問合せ番号と復号したチップ情報と復号したチップ番号とを、互いに対応付けて、記憶部２２ｂに格納する。
【０１７９】
次に処理部２２ａは、記憶部２２ｂに格納したチップ問合せ番号とチップ情報とを記憶部２２ｂに格納されている暗号情報Ｂに含まれる鍵で暗号化し、暗号化した情報とチップ番号とをさらに、記憶部２２ｂに格納されている暗号情報Ａに含まれる鍵で暗号化して、暗号化した暗号化情報を照合要求とともに主制御部２１に送信する（ステップＢ２４）。
【０１８０】
主制御部２１の処理部２１ａは、ステップＢ２５において、暗号化情報と照合要求とをセキュリティチップ２２から受信すると、記憶部２２ｂに格納されている暗号情報Ａに含まれる鍵で暗号化情報を復号化し、復号化したチップ番号と同じ内容を示すチップ番号が記憶部２１ｂに格納されているか否かを検索する。検索の結果、同じ内容のチップ番号が記憶部２１ｂに格納されていない場合、処理部２１ａは、復号化した情報（チップ番号と、暗号情報Ｂで暗号化されたままのチップ問合せ番号及びチップ情報とである。）を記憶部２１ｂに格納する。そして、処理部２１ａは、記憶部２１ｂに格納した前記復号化した情報を、記憶部２１ｂに格納されている暗号情報Ａに含まれる鍵で再度暗号化して、暗号化した暗号化情報と、前記で受信した照合要求とを上位サーバ５１０に送信する（ステップＢ２５）。同じ内容を示すチップ番号が記憶部２１ｂに格納されている場合については後述する。
【０１８１】
上位サーバ５１０の制御部５１１は、ステップＢ２６において、暗号化情報と照合要求とを主制御部２１から受信すると、記憶部５１２に格納されている暗号情報Ａに含まれる鍵で暗号化情報を復号化し、復号化したチップ番号と同じ内容を示すチップ番号が記憶部５１２に格納されているか否かを検索する。検索の結果、同じ内容のチップ番号が記憶部５１２に格納されていない場合、制御部５１１は、復号化した情報（チップ番号と、暗号情報Ｂに含まれる鍵で暗号化されたままのチップ問合せ番号及びチップ情報とである。）を記憶部５１２に格納する。そして、制御部５１１は、記憶部５１２に格納した前記復号化した情報を、記憶部５１２に格納されている暗号情報Ａに含まれる鍵で再度暗号化して、暗号化した暗号化情報と、前記で受信した照合要求とを鍵管理センターサーバ３１０に送信する（ステップＢ２６）。このとき、制御部５１１は、ステップＢ６で記憶部５１２に格納した基板シリアル番号を一緒に送信する。同じ内容を示すチップ番号が記憶部５１２に格納されている場合については、後述する。なお、上記暗号情報Ｂ等は、セキュリティ管理情報等によらず、全て共通であってもよく、この場合には、制御部５１１は、暗号情報Ａに含まれる鍵も共通になるので、基板シリアル番号を一緒に送信する必要はない。
【０１８２】
鍵管理センターサーバ３１０の制御部３１１は、ステップＢ２７において、暗号化情報と照合要求と基板シリアル番号とを上位サーバ５１０から受信すると、記憶部３１２に格納されている暗号情報Ａ（前記基板シリアル番号に対応付けられた暗号情報Ａ）に含まれる鍵で暗号化情報を復号化する。さらに、制御部３１１は、復号化した情報のうちチップ問合せ番号及びチップ情報を記憶部３１２に格納されている暗号情報Ｂ（前記基板シリアル番号に対応付けられた暗号情報Ｂ）に含まれる鍵で復号化する。そして、制御部３１１は、復号化したチップ番号（払出制御チップ１１のチップ番号、主制御チップ１３のチップ番号）に対応するチップ情報（払出制御チップ１１のチップ情報、主制御チップ１３のチップ情報）を記憶部３１２から取得し、取得したチップ情報と、復号化したチップ情報とを照合し（ステップＢ２７）、照合結果を上位サーバ５１０に前記チップ問合せ番号とともに送信する（ステップＢ２８、図１６参照）。
【０１８３】
前記照合は、両チップ情報に含まれる払出制御チップ１１のチップ情報同士、主制御チップ１３のチップ情報同士で行われる。そして、この照合の照合結果（つまり送信される照合結果）は、全ての照合の照合結果が照合ＯＫであった場合に、照合ＯＫになり、少なくとも１つの照合の照合結果が照合ＮＧであった場合には、照合ＮＧになる（図１８参照、ここでは、照合結果が論理積されて送信される照合結果が得られている）。例えば、払出制御チップ１１のチップ情報についての照合が照合ＮＧであれば、主制御チップ１３のチップ情報についての照合の照合結果に関わらず、送信される照合結果は照合ＮＧになる。
【０１８４】
このように、複数の照合の結果において、１つでも照合がＮＧであれば、全体として照合結果をＮＧとすることで、どの照合がＮＧであったか（つまり、どのチップの認証に失敗したか）を、上記の送信される照合結果を分析したとしても、特定することが困難になる。これによって、どのような照合を行っているか（どのチップについて認証を行っているか等）の把握を困難にして、照合結果を分析した結果を悪用するといったことを困難にしている。なお、上記照合における認証は、払出制御チップ１１と主制御チップ１３とについてに限られず、例えば、不正監視制御部１２も認証対象であってもよく、また、その他の集積回路も含んでいてもよい。この場合、不正監視制御部１２に識別情報であるチップ情報を記憶させ、鍵管理センターサーバ３１０にも同様に情報を記憶させて、上記払出制御チップ１１のチップ情報等と同様に照合を行う。
【０１８５】
鍵管理センターサーバ３１０の制御部３１１は、ステップＢ２８において、ステップＢ２７での復号で使用した暗号情報Ｂに含まれる鍵で、チップ問合せ番号と送信する照合結果とを暗号化し、さらに、暗号化した情報をステップＢ２７での復号で使用した暗号情報Ａに含まれる鍵で暗号化し、暗号化した暗号化情報を上位サーバ５１０に送信する。なお、制御部３１１は、照合結果を復号したチップ問合せ番号とともに、照合したチップ情報等に対応付けて記憶部３１２に格納する。
【０１８６】
上位サーバ５１０の制御部５１１は、ステップＢ２９において、鍵管理センターサーバ３１０から暗号化情報を受信すると、記憶部５１２に格納されている暗号情報Ａに含まれる鍵で暗号化情報を復号化し、復号化した情報（暗号情報Ｂに含まれる鍵で暗号化されたままのチップ問合せ番号及び照合結果である。）を記憶部５１２に格納する。そして、制御部５１１は、記憶部５１２に格納した前記復号化した情報を、記憶部５１２に格納されている暗号情報Ａに含まれる鍵で再度暗号化して暗号化情報として主制御部２１に送信する（ステップＢ２９）。
【０１８７】
主制御部２１の処理部２１ａは、ステップＢ３０において、上位サーバ５１０から暗号化情報を受信すると、記憶部２１ｂに格納されている暗号情報Ａに含まれる鍵で暗号化情報を復号化し、復号化した情報（暗号情報Ｂに含まれる鍵で暗号化されたままのチップ問合せ番号及び照合結果である。）を記憶部２１ｂに格納する。そして、処理部２１ａは、記憶部２１ｂに格納した前記復号化した情報を、記憶部５１２に格納されている暗号情報Ａに含まれる鍵で再度暗号化して暗号化情報としてセキュリティチップ２２に送信する（ステップＢ３０）。
【０１８８】
セキュリティチップ２２の処理部２２ａは、ステップＢ３１において、主制御部２１から暗号化情報を受信すると、記憶部２２ｂに格納されている暗号情報Ａに含まれる鍵で暗号化情報を復号化し、復号化した情報（暗号情報Ｂに含まれる鍵で暗号化されたままのチップ問合せ番号及び照合結果である。）を記憶部２２ｂに格納されている暗号情報Ｂに含まれる鍵でさらに復号化する。これによって、チップ問合せ番号及び照合結果が復号化されたことになる。処理部２２ａは、ステップＢ３１において、復号したチップ問合せ番号と、記憶部２２ｂが記憶するチップ問合せ番号とを照合し、照合ＯＫであれば、復号した照合結果を取り込む。例えば、処理部２２ａは、照合ＯＫであれば、正規の照合結果として、復号した照合結果を記憶部２２ｂに格納する。例えば、他の装置がなりすましによって、偽造した照合結果をセキュリティチップ２２に送信した場合には、前記のチップ問合せ番号の照合がＮＧになるので、このようななりすましに対するセキュリティを確保できる。また、このことは基板問合せ番号を用いたステップＢ１３における照合においても同じことがいえる。つまり、ステップＢ５で送信した基板問合せ番号とステップＢ１３で受信した基板問合せ番号との照合結果が照合ＯＫであった場合にステップＢ１３で受信した情報を記憶部２２ｂに格納するため、なりすましに対するセキュリティを確保できる。
【０１８９】
セキュリティチップ２２の処理部２２ａは、取り込んだ照合結果が照合ＯＫの場合には、照合ＯＫの情報を通信制御ＩＣ２３に送信し、通信制御部ＩＣ２３の処理部２３ａは、送信された照合ＯＫの情報を記憶部２３ｂに格納する（ステップＢ３２）。照合ＯＫの情報は、上記と同様に、送受信されるときに、暗号情報Ｂ等によって暗号化、及び、復号化されてもよい。
【０１９０】
なお、上記チップ問合せ番号の照合が照合ＮＧであった場合や、復号した照合結果が照合ＮＧであった場合、処理部２２ａは、その後の処理を中止し、全体として、カードユニット２０の動作が中止される。なお、処理部２２ａは、例えば、処理部２１ａにその旨を通知し、処理部２１ａは、カードユニット２０のランプを点灯させる等して、照合ＮＧの旨を報知してもよい。
【０１９１】
セキュリティチップ２２の処理部２２ａは、ステップＢ３２の後に、セッション鍵の要求を通信制御ＩＣ２３に送信し（ステップＢ３３）、通信制御ＩＣ２３の処理部２３ａは、セッション鍵の要求を受信すると、セッション鍵を予め定められたアルゴリズムで生成して処理部２２ａに送信する（ステップＢ３４）。セッション鍵は、例えば、暗号情報Ｂに基づいて生成される。例えば、処理部２２ａは、乱数等を生成して、生成した乱数と暗号情報Ｂとを論理演算して、セッション鍵を生成する。処理部２２ａは、日時情報等に基づいてセッション鍵を生成してもよい。
【０１９２】
処理部２２ａと処理部２３ａとは、セッション鍵を、記憶部２２ｂと記憶部２３ｂとに格納し、その後の通信は、セッション鍵を鍵として暗号化通信を行う。処理部２２ａと処理部２３ａとは、これ以降、遊技に係る処理を行うための情報（電文等）の送受信を行うが、この送受信のときに、送受信する情報をセッション鍵で暗号化及び復号化することで、処理部２２ａと処理部２３ａとは、暗号通信を行う。
【０１９３】
上位サーバ５１０、カードユニット２０、パチンコ機１０が新たに設置された場合には、遊技用システム１は上記のような動作を行うが、その後、遊技場５００の通常の営業時にも遊技用システム１は動作を行う（例えば、営業開始時における電源の投入時を契機として動作が開始する）。この場合の遊技用システム１の処理は任意であるが、例えば、上記の動作と同様の処理が行われる。
【０１９４】
このとき、主制御部２１の記憶部２１ｂには、基板シリアル番号等が記憶されているため、ステップＢ６における検索の結果が、同じ内容の基板シリアル番号が記憶部２１ｂに格納されているという結果になる。この場合、処理部２１ａは、ステップＢ１０の処理を次に行う。なお、ステップＢ１０以降における基板問合せ番号は、直近のステップＢ５で送信されたものになる。
【０１９５】
また、主制御部２１が記憶する基板シリアル番号等が何らかの理由で消去されてしまった場合、ステップＢ６の処理の後、ステップＢ７の処理における検索が行われ、同じ内容の基板シリアル番号が記憶部５１２に格納されていることになる。この場合、制御部５１１は、ステップＢ９の処理を次に行う。なお、ステップＢ１０以降における基板問合せ番号は、直近のステップＢ６で送信されたものになる。
【０１９６】
また、ステップＢ２５において、同じ内容を示すチップ番号が記憶部２１ｂに格納されている場合、処理部２１ａは、ステップＢ３０の処理を次に行う。なお、ステップＢ３０以降におけるチップ問合せ番号は、直近のステップＢ２４で送信されたものになる。照合結果は、記憶部２１ｂに格納されたものが送信される。
【０１９７】
また、主制御部２１が記憶するチップ番号等が何らかの理由で消去されてしまった場合、ステップＢ２５の処理の後、ステップＢ２６の処理における検索が行われ、同じ内容のチップ番号が記憶部５１２に格納されていることになる。この場合、制御部５１１は、ステップＢ２９の処理を次に行う。なお、ステップＢ１０以降における基板問合せ番号は、直近のステップＢ２５で送信されたものになる。照合結果は、記憶部５１２に格納されたものが送信される。
【０１９８】
上記のような処理によって、遊技場５００の通常の営業時においては、鍵管理センターサーバ３１０と上位サーバ５１０とが集積回路の認証のための通信を行わないので、鍵管理センターサーバ３１０の通信負荷が軽減される。
【０１９９】
さらに、ステップＢ１３において、処理部２２ａは、復号した各情報を、記憶部２２ｂに格納されている各情報とそれぞれ照合するが、基本的に、各照合の照合結果がすべて照合ＯＫになる。この場合には、処理部２２ａは、ステップＢ１６の処理を次に行う。
【０２００】
なお、上記照合で、照合ＮＧになった場合には、所定の回数、前記の照合を含むステップを繰り返し、所定の回数すべてが照合ＮＧになった場合にのみ、上記照合ＮＧに応じた処理を行うようにしてもよい。
【０２０１】
上記処理の各種照合によって、セキュリティチップ２２や、通信制御ＩＣ２３等の各種集積回路のすり替え等を検出できるので、上記処理によって、すり替えに対するセキュリティを確保できる。また、送受信する情報の暗号化によって、情報漏洩についてのセキュリティも確保されている。
【０２０２】
また、上記処理では、有効鍵（商用）は、通信制御ＩＣ２３の揮発性記憶手段に格納される。遊技場５００の営業終了時等においては、カードユニットの電源は落とされるので、そのたびに、有効鍵（商用）は、通信制御ＩＣ２３から消去されることになる。このため、毎日の稼働段階において、有効鍵（商用）は、毎回、通信制御ＩＣ２３に新たに設定される。これによって、有効鍵（商用）は、復号化された状態のものが、遊技場５００の営業終了後に通信制御ＩＣ２３に残らないので、有効鍵（商用）の漏洩の可能性が低減され、セキュリティが向上している。
【０２０３】
上記処理によれば、主制御部２１や上位サーバ５１０は、セキュリティチップ２２と鍵管理センターサーバ３１０との間の暗号通信において、受信した情報を暗号化された状態のままセキュリティチップ２２又は鍵管理センターサーバ３１０に送信するので、主制御部２１や上位サーバ５１０において、前記情報は復号化されない。これによって、主制御部２１や上位サーバ５１０において、情報が読み取られても、情報の内容が漏洩するリスクは低い。特に、前記暗号通信を行うための鍵である暗号情報Ｂ等を復号化した状態で主制御部２１や上位サーバ５１０が記憶しないことによって、鍵の漏洩も防がれるため、情報の内容について漏洩するリスクが低くなる。
【０２０４】
（変形例）
本発明は、上記で説明した実施形態に限定されず、種々の変形及び応用が可能である。下記にその変形例を例示する。下記の変形例は、上記で説明した実施形態に個別又は複数組み合わせて、適用される。
【０２０５】
（変形例１）
遊技場５００は、パチンコ店に限らず、カジノや、ゲームセンター等であってもよい。また、遊技用装置は、パチンコ機１０だけでなく、例えば、スロットマシンやゲーム機、又はこれらの周辺機器等、１以上の集積回路を搭載した遊技用の装置であればよい。
【０２０６】
スロットマシンとは、例えば、所定の遊技媒体を１ゲームに対して所定数の賭数を設定した後、遊技者がスタートレバーを操作することにより可変表示装置による識別情報の可変表示を開始し、遊技者が各可変表示装置に対応して設けられた停止ボタンを操作することにより、その操作タイミングから予め定められた最大遅延時間の範囲内で識別情報の可変表示を停止し、全ての可変表示装置の可変表示を停止したときに導出表示された表示結果に従って入賞が発生し、入賞に応じて予め定められた所定の遊技媒体が払い出され、特定入賞が発生した場合に、遊技状態として所定の遊技価値を遊技者に与える状態にするように構成した遊技機である。
【０２０７】
スロットマシンは、遊技場５００における遊技島において機種等毎に所定の位置に配置される。スロットマシンも、パチンコ機１０と同様に、払出制御チップ１１（遊技媒体を払い出す処理等を行うチップ）と主制御チップ１３（可変表示装置の制御、遊技状態の演出の制御等を行うチップ）とを備える場合がある。この場合、上記実施形態と同様に本発明を適用可能である。また、スロットマシンにおいては、演出制御のチップが主制御チップ１３のように認証対象であってもよい。
【０２０８】
（変形例２）
上記実施形態では、主制御部２１、セキュリティチップ２２、セキュリティ基板２４、及び、上位サーバ５１０がそれぞれ同一のカードユニットメーカー６００で製造される場合について説明したが、これは一例である。主制御部２１は、暗号通信における仕様を満たすように製造されれば（つまり、上記実施形態のような動作を実現できるように製造されれば）、セキュリティチップ２２及びセキュリティ基板２４を製造するメーカーとは異なる任意の他のカードユニットメーカー６００で製造されてもよい。つまり、第１のメーカーが、上記製造フローで、通信制御ＩＣ２３やセキュリティチップ２２を搭載したセキュリティ基板２４を製造し、第２のメーカー（カードユニットメーカー６００）が、主制御部２１等を製造するとともに、第１のメーカーが製造した前記のセキュリティ基板２４を用いて、第１の制御部２１やセキュリティ基板２４を搭載したカードユニット２０を製造してもよい。
【０２０９】
この構成によれば、セキュリティチップ２２と鍵管理センターサーバ３１との暗号通信の内容を秘匿化し、所定のメーカーのみがセキュリティチップ２２と鍵管理センターサーバ３１０との暗号通信を管理するようになる。そのため、暗号通信の秘匿性を保持しながら、主制御部２１をカードユニットメーカー６００各社において独自に開発することが出来る。主制御部２１は、セキュリティチップ２２と鍵管理センターサーバ３１０との暗号通信においては情報を復号化しないので、暗号通信に使用される鍵の漏洩等の心配が少ないからである。主制御部２１が、遊技用装置全体の動作（特に遊技に係る動作）等の制御を行う部分である場合、主制御部２１をカードユニットメーカー６００各社において独自に開発することによって、カードユニット２０の機能の多様化が可能になる。なお、上記実施形態のように、前記所定のメーカー自身も、カードユニット２０を製造できる。
【０２１０】
（変形例３）
また、上記変形例２の構成に加えて、上位サーバ５１０も、暗号通信における仕様を満たすように製造されれば、セキュリティチップ２２及びセキュリティ基板２４とは異なる任意のカードユニットメーカー６００で製造されてもよい。これによって、上記変形例２と同様に、上位サーバ５１０の機能の多様化が可能になる。
【０２１１】
（変形例４）
上記実施形態では、カードユニット２０の製造時において、鍵管理センターサーバ３１０とＩＣライター６１０との間で通信を行い、認証情報Ｂ１の照合を行う場合について説明したが、これは一例である。鍵管理センターサーバ３１０は、記憶部３１２に格納されている認証情報Ｂ１を、配送鍵で暗号化してＳＤカードのようなリムーバルメディアに出力し、ＩＣライター６１０がこのリムーバルメディアに格納された認証情報Ｂ１を読み込むことで、認証情報Ｂ１の照合を行うようにしてもよい。
【０２１２】
（変形例５）
また、ＩＣライター６１０は、記憶部６１２に格納される暗号情報Ｂ１を、ＳＤカードのようなリムーバルメディアに出力し、鍵管理センターサーバ３１０がこのリムーバルメディアに格納された認証情報Ｂ１を読み込むことで、認証情報Ｂ１の照合を行うようにしてもよい。
【０２１３】
変形例３や４の構成によれば、鍵管理センターサーバ３１０がオフラインの状態であっても、認証情報Ｂ１の照合を行うことができる。
【０２１４】
（変形例６）
また、上記実施形態では、カードユニット２０の製造時において、予め各集積回路に情報が書き込まれている例を示したが、これは一例である。各集積回路に情報を書き込む手法は任意であり、例えば、集積回路が製造される製造工程の中で書き込まれてもよいし、チップメーカーコンピュータ１１０が各集積回路に情報を書き込むようにしてもよい。
【０２１５】
（変形例７）
上記実施形態では、不正監視制御部１２、払出制御チップ１１、主制御チップ１３がそれぞれ別個にパチンコ機１０に搭載される例を示したが、これは一例である。不正監視制御部１２、払出制御チップ１１、主制御チップ１３は１つにパッケージ化されてパチンコ機１０に搭載されてもよい。また、不正監視制御部１２、払出制御チップ１１、主制御チップ１３それぞれの集積回路のうち任意の２つの集積回路を１つにパッケージ化してパチンコ機１０に搭載してもよい。
【０２１６】
（変形例８）
また、上記実施形態では、暗号通信を共通鍵で行っていたが、暗号通信は公開鍵と秘密鍵を用いた通信であってもよい。この場合には、適宜、暗号通信を行う構成要素間で、公開鍵と秘密鍵とが設定される。その他暗号化方式は任意であり、様々な方式で暗号化が行われる。
【０２１７】
（変形例９）
なお、遊技用システム１を構成する各装置の記憶部に格納されたプログラムは、ネットワークＮを介してダウンロード等されたものであってもよい。
【０２１８】
（変形例１０）
なお、遊技用システム１を構成する各装置の制御部や処理部は、その少なくとも一部が上述の処理の少なくとも一部を行うための専用回路によって構成されてもよい。
【０２１９】
（変形例１１）
なお、鍵管理センターサーバ３１０は、遊技場５００毎に設置されている遊技用装置の種類とそれに対応する台数を集計するようにしてもよい。
【０２２０】
（変形例１２）
上記ステップＢ２２において、処理部２３ａは、チップ情報のみを暗号情報Ｂで暗号化して送信し、ステップＢ２３において、処理部２２ａは、チップ情報とチップ番号とを復号化せずにチップ問合せ番号を生成して送信してもよい。この構成によれば、チップ情報を復号せずに主制御部２１に送信するため、チップ情報が漏洩し難くなっている。
【０２２１】
（変形例１３）
また、上記ステップＢ１２及びＢ１３を実行した後に、上記ステップＢ１０及びＢ１１の処理を実行してもよい。主制御部２１とセキュリティチップ２２とは、ステップＢ３において相互に認証されているため、このように処理の順序を変更しても、両者のセキュリティは担保されている。
【０２２２】
（変形例１４）
上記実施形態では、カードユニット２０と鍵管理センターサーバ３１０との間には、上位サーバ５１０が介在し、カードユニット２０と鍵管理センターサーバ３１０との間で送受信される情報は、上位サーバ５１０を介して送受信されている。しかし、カードユニット２０と鍵管理センターサーバ３１０との間には、上位サーバ５１０に加え、上位サーバ５１０に接続された他のサーバが介在してもよい。上位サーバと他のサーバとによって、中継システムが構成される。カードユニット２０と鍵管理センターサーバ３１０との間で送受信される情報は、中継システムを介して送受信される。なお、上位サーバ５１０のみでも、上記中継システムを構成するものとする。
【０２２３】
（変形例１５）
通信制御ＩＣ２３と不正監視制御部１２とは、互換性が担保されていれば、異なるチップメーカー１００で製造されてもよい。
【０２２４】
（変形例１６）
上位サーバ５１０は、カードユニット２０とともにセットで製造等されなくてもよいが、この場合、上位サーバ５１０は適宜のタイミングで、有効鍵（商用）と初期暗号情報Ａとを取得する。また、セキュリティ管理情報それぞれに対応する有効鍵（商用）それぞれは共通であってもよく、初期暗号情報Ａそれぞれも共通であってもよい。さらに、セキュリティ管理情報それぞれに対応する有効鍵（テスト用）等もそれぞれ共通であってもよい。上位サーバ５１０は、カードユニット２０とともにセットで製造等されない場合は、特に、有効鍵（商用）それぞれ及び初期暗号情報Ａそれぞれは、共通であることが望ましい。
【０２２５】
（変形例１７）
鍵管理センターサーバ３１０は、ステップＢ２７の照合における複数の照合結果について論理積等をせずに、個々の照合結果として、暗号化して送信し（暗号化等の方法は上記実施形態と同じであり、暗号情報Ｂに含まれる鍵で少なくとも暗号化される。）、セキュリティチップ２２の処理部２２ａが各照合結果について論理積等を取って、全体の照合結果（つまり、ステップＢ２８で送信される照合結果）を生成して、照合ＯＫであった場合に、ステップＢ３２等の処理を行ってもよい。
【０２２６】
（その他）
上記実施形態や変形例で把握され得る構成例等を、以下に記載する。なお、以下に記載された各構成は、適宜他の構成と組み合わせることが出来る。また、下記の発明は、上記実施形態や変形例を一例とするものであり、実施態様は適宜変更可能である。
【０２２７】
（その他１）
（１）遊技用システムは、
第１の制御部（例えば、主制御部２１）と、前記第１の制御部と通信可能な第２の制御部（例えば、セキュリティチップ２２と通信制御ＩＣ２３）と、を備える遊技用装置（例えば、カードユニット２０）と、
少なくとも前記第１の制御部を介して前記第２の制御部と通信を行う管理装置（例えば、鍵管理センターサーバ３１０）と、を備え、
前記第２の制御部と前記管理装置とは、前記通信において暗号通信を行うための鍵（例えば、初期暗号情報Ｂに含まれる鍵）を記憶し、記憶している前記鍵を用いて前記暗号通信を行い（例えば、ステップＢ５、Ｂ６、Ｂ７等において基板問合せ番号をセキュリティチップ２２から鍵管理センターサーバ３１０に送信する処理参照）、
前記第１の制御部は、前記第２の制御部と前記管理装置との間の前記暗号通信において、受信した情報を暗号化された状態のまま前記第２の制御部又は前記管理装置に送信する（例えば、ステップＢ６における送信処理参照）。
【０２２８】
上記構成によれば、第１の制御部は、第２の制御部と管理装置との間の暗号通信において、受信した情報を暗号化された状態のまま第２の制御部又は管理装置に送信するので、第１の制御部において、前記情報は復号化されない。これによって、例えば、第１の制御部に対して不正な行為があって、前記情報が第１の制御部から読み取られたとしても、この情報は暗号化されたままの状態であり、しかも第１の制御部ではこの情報を復号化できないので、この情報の内容について漏洩するリスクは低い。このように、上記構成の遊技用システムは、通信において送受信される情報の漏洩のリスクを低減している。特に、前記暗号通信を行うための鍵を第１の制御部が記憶しないことによって、鍵の漏洩も防がれるため、より一層、情報の内容について漏洩するリスクが低くなる。
【０２２９】
なお、上記通信は、一方向にのみ情報が送信される通信も含む。これに関連し、送受信される情報も、両者で送受信される情報はもちろんのこと、一方（例えば、第２の制御部）から送信され、他方（例えば、管理装置）で受信される情報をも含む。結果的に１以上の装置を介して情報が送信又は受信されることも通信に含まれる。
【０２３０】
（２）上記（１）の遊技用システムは、例えば、
前記遊技用装置と前記管理装置との通信を中継する中継システム（例えば、上位サーバ５１０を含むシステム）をさらに備え、
前記第２の制御部と前記管理装置とは、さらに前記中継システムを介して前記暗号通信を行い（例えば、Ｂ６、Ｂ７等において基板問合せ番号をセキュリティチップ２２から鍵管理センターサーバ３１０に送信する処理参照）、
前記中継システムは、前記第２の制御部と前記管理装置との間の前記暗号通信において前記情報を暗号化された状態のまま中継する（例えば、ステップＢ７における送信処理参照）。
【０２３１】
上記構成によれば、第１の制御部と同様に、中継システムにおいても前記情報は復号化されない。これによって、例えば、中継システムに対して不正な行為があって、前記情報が中継システムから読み取られたとしても、この情報は暗号化されたままの状態であり、しかも中継システムではこの情報を復号化できないので、この情報の内容について漏洩するリスクは低い。このように、上記構成の遊技用システムは、通信において送受信される情報の漏洩のリスクを低減している。特に、前記暗号通信を行うための鍵を中継システム内の装置が記憶しないことによって、鍵の漏洩も防がれるため、より一層、情報の内容について漏洩するリスクが低くなる。
【０２３２】
（３）上記（１）又は（２）の遊技用システムにおいて、例えば、
前記第１の制御部と前記第２の制御部は前記鍵とは異なる他の鍵（例えば、初期暗号情報Ａに含まれる鍵）をそれぞれ記憶し、
前記第２の制御部は、前記第１の制御部と通信する際に、前記他の鍵を用いて暗号化通信を行う（例えば、ステップＢ１０にける相互認証処理参照）。
【０２３３】
上記構成によれば、第２の制御部は、通信相手によって暗号通信のための鍵を変更するので、第１の制御部との通信においても通信のセキュリティを確保することが出来、通信において送受信される情報の漏洩のリスクを低減している。
【０２３４】
（４）上記（１）から（３）のうちのいずれかの遊技用システムにおいて、例えば、
前記第１の制御部は、前記遊技用装置の遊技に係る動作の制御を少なくとも行い（例えば、主制御部２１が行う処理参照）、
前記第２の制御部は、前記第２の制御部が備える集積回路の認証に係る制御を行う（例えば、セキュリティチップ２２が行う処理参照）。
【０２３５】
上記構成によれば、遊技用装置の動作に係る処理を第１の制御部と第２の制御部とで分担出来るので、第１の制御部と第２の制御部とについての処理負担が軽減される。なお、遊技に係る動作とは、遊技用装置がユーザ（遊技者）に遊技を行わせるための動作をいい、集積回路の認証等についての動作は含まれない。
【０２３６】
（５）上記（１）から（４）のうちのいずれかの遊技用システムにおいて、例えば、
前記第２の制御部は、第１の集積回路（例えば、セキュリティチップ２２）と前記第１の集積回路と通信を行う第２の集積回路（例えば、通信制御ＩＣ２３）とを備え、
前記第１の集積回路は、前記暗号通信において、前記第２の集積回路から取得する情報（例えば、チップ情報）を前記鍵を用いて暗号化して、少なくとも前記第１の制御部を介して前記管理装置に送信する（例えば、ステップＢ２４からＢ２６における照合要求を送信する処理参照）。
【０２３７】
上記構成によれば、第２の集積回路から取得する情報を鍵を用いて暗号化して、少なくとも第１の制御部を介して管理装置に送信するので、第２の制御部が二つの集積回路を備える場合であっても、第１の制御部での情報の漏洩のリスクを低減している。
【０２３８】
（その他２）
（１）遊技用システムは、
遊技用装置（例えば、パチンコ機１０）に搭載された集積回路（例えば、払出制御チップ１１）の識別情報（例えば、チップ情報）を問い合わせ情報（例えば、チップ問合せ番号）とともに送信する送信手段を備える遊技用装置と、
前記集積回路の識別情報を照合用情報として予め記憶する記憶手段（例えば、チップ情報やチップ問合せ番号等を記憶する記憶部３１２）と、前記送信手段から送信された前記識別情報と前記記憶手段が記憶する前記照合用情報とを照合する照合手段（例えば、ステップＢ２７においてチップ情報を照合する処理参照）と、前記照合手段による照合の照合結果を前記送信手段から送信された前記問い合わせ情報とともに前記送信手段を備える前記遊技用装置に返信する返信手段（例えば、ステップＢ２８において照合結果を送信する処理参照）と、を備える照合装置（例えば、鍵管理センターサーバ３１０）と、
を備える。
【０２３９】
上記構成によれば、問い合わせ情報を識別情報とともに照合装置に送信し、送信された問い合わせ情報とともに照合結果が返信されるので、同じ内容の問い合わせ情報とともに、照合結果が返信される限り、その照合結果は、照合装置になりすました他の不正な装置から送信されたものでない可能性が高い。このため、認証結果の信頼性が向上している。
【０２４０】
（２）また、遊技用装置は、例えば、上記（１）の遊技用システムに含まれ、
遊技用装置（例えば、パチンコ機１０）に搭載された集積回路（例えば、払出制御チップ１１）の識別情報（例えば、チップ情報）を問い合わせ情報（例えば、チップ問合せ番号）とともに送信する送信手段と、
前記送信手段が送信した前記識別情報を用いた照合の照合結果を問い合わせ情報とともに受信する受信手段（例えば、ステップＢ３０での照合結果等の送信参照）と、
前記送信手段が送信した問い合わせ情報と前記受信手段が受信した前記問い合わせ情報とが同じ内容であるかを判別し、同じ内容であった場合に前記受信手段が受信した前記照合結果を正規の照合結果として特定する特定手段（例えば、ステップＢ３１での照合結果の取り込み参照）と、
を備える。
【０２４１】
上記構成によれば、送信手段が送信した問い合わせ情報と受信手段が受信した問い合わせ情報とが同じ内容であった場合に照合結果を正規の照合結果として特定するので、正規の照合結果として特定された照合結果は、照合装置になりすました他の不正な装置から送信されたものでない可能性が高い。このため、認証結果の信頼性が向上している。
【０２４２】
（３）また、上記（１）の遊技用システムにおいて、例えば、
前記遊技用装置は、さらに、
前記返信手段が返信した前記照合結果と前記問い合わせ情報とを受信する受信手段（例えば、ステップＢ３０での照合結果等の送信参照）と、
前記送信手段が送信した問い合わせ情報と前記受信手段が受信した前記問い合わせ情報とが同じ内容であるかを判別し、同じ内容であった場合に前記受信手段が受信した前記照合結果を正規の照合結果として特定する特定手段（例えば、ステップＢ３１での照合結果の取り込み参照）と、
を備える。
【０２４３】
上記構成によれば、送信手段が送信した問い合わせ情報と受信手段が受信した問い合わせ情報とが同じ内容であった場合に照合結果を正規の照合結果として特定するので、正規の照合結果として特定された照合結果は、照合装置になりすました他の不正な装置から送信されたものでない可能性が高い。このため、認証結果の信頼性が向上している。
【０２４４】
（４）また、上記（１）又は（３）の遊技用システムにおいて、例えば、
前記送信手段は、前記問い合わせ情報と前記識別情報とを暗号化して前記照合装置に送信し（例えば、ステップＢ２４においてチップ情報を暗号化して送信する処理参照）、
前記返信手段は、前記問い合わせ情報と前記識別情報とを暗号化して前記遊技用装置に返信する（例えば、ステップＢ２８において照合結果を暗号化して返信する処理参照）。
【０２４５】
上記構成によれば、問い合わせ情報が暗号化されるので、問い合わせ情報が漏洩し難くなり、情報漏洩についてのセキュリティが向上している。
【０２４６】
（その他３）
（１）遊技用システムは、
第１の制御部（例えば、主制御部２１）と、前記第１の制御部と通信可能な第２の制御部（例えば、セキュリティチップ２２及び通信制御ＩＣ２３）と、を備える遊技用装置（例えば、カードユニット２０）と、
前記遊技用装置と通信可能な管理装置（例えば、上位サーバ５１０）と、を備え、
前記管理装置は、前記第２の制御部に設定されることによって前記第２の制御部に所定の処理を行わせることを許可する設定情報（例えば、有効鍵（商用））を暗号化された状態で記憶する設定情報記憶手段（例えば、有効鍵（商用）を記憶する記憶部５１２）を備え、
前記第２の制御部は、前記設定情報記憶手段が記憶する前記設定情報を暗号化した状態のまま前記第１の制御部を介して取得する取得手段（例えば、ステップＢ１２における有効鍵（商用）の送信参照）と、前記設定情報を復号化する復号鍵を予め記憶する復号鍵記憶手段（例えば、書込鍵を記憶する記憶部２３ｂ）と、前記取得手段が取得した前記設定情報を前記復号鍵記憶手段が記憶する復号鍵で復号して前記第２の制御部自身に設定する設定手段（例えば、ステップＢ１９において有効鍵（商用）を設定する処理参照）と、を備える。
【０２４７】
上記構成によれば、設定情報は暗号化した状態のまま第２の制御部によって取得されるので、第１の制御部や管理装置において、設定情報は復号化されない。これによって、例えば、第１の制御部や管理装置に対して不正な行為があって、設定情報が第１の制御部や管理装置から読み取られたとしても、この設定情報は暗号化されたままの状態であり、しかも第１の制御部や管理装置ではこの設定情報を復号化しないので、設定情報の内容について漏洩するリスクは低い。また、この設定情報の設定によって、第２の制御部は所定の処理を行うことが出来るため、第２の制御部に前記所定の処理を不正に行わせる、つまり、第２の制御部を不正に動作させることがし難い。このように、上記遊技用システムは、遊技用装置の制御部（第２の制御部）について不正に動作させる可能性を低くするとともに、情報漏洩がし難いシステムになっている。なお、復号鍵を第１の制御部や管理装置が記憶しないことによって、鍵の漏洩も防がれるため、より一層、設定情報の内容について漏洩するリスクが低くなる。
【０２４８】
（２）（１）の遊技用システムにおいて、例えば、
前記第２の制御部は、第１の集積回路（例えば、セキュリティチップ２２）と第２の集積回路（例えば、通信制御ＩＣ２３）とを備え、
前記設定情報は、第２の集積回路に設定されることによって、前記第２の集積回路に所定の処理を行わせることを許可する情報であり、
前記第１の集積回路は、前記取得手段と、前記第２の集積回路と通信して前記第２の集積回路を認証する認証手段（例えば、ステップＢ１６における相互認証処理参照）と、前記認証手段による認証が成功の場合に前記取得手段が取得した前記設定情報を暗号化された状態のまま前記第２の集積回路に供給する供給手段（例えば、ステップＢ１９において有効鍵（商用）を設定する処理参照）と、を備え、
前記第２の集積回路は、前記復号鍵記憶手段と前記設定手段とを備え、
前記設定手段は、前記供給手段が供給する前記設定情報を前記復号鍵記憶手段が記憶する復号鍵で復号して記憶することによって、前記設定情報を前記集積回路自身に設定する（例えば、ステップＢ１９において有効鍵（商用）を設定する処理参照）。
【０２４９】
上記構成によれば、第２の制御部における第１の集積回路でも設定情報は復号によって取得されるので、より情報漏洩がし難いシステムになっている。なお、復号鍵を第１の集積回路が記憶しないことによって、鍵の漏洩も防止されるため、より一層、設定情報の内容について漏洩するリスクが低くなる。
【０２５０】
（３）上記（１）又は（２）の遊技用システムにおいて、例えば、
前記第１の制御部と前記第２の制御部は前記復号鍵とは異なる他の鍵（例えば、初期暗号情報Ａに含まれる鍵）をそれぞれ記憶し、
前記第２の制御部は、前記第１の制御部と通信する際に、前記他の鍵を用いて暗号化通信を行う（例えば、ステップＢ１０にける相互認証処理参照）。
【０２５１】
上記構成によれば、第２の制御部は、通信相手（情報の受信相手）によって暗号通信のための鍵を変更するので、第１の制御部との通信においても通信のセキュリティを確保することが出来、通信において送受信される情報の漏洩のリスクを低減している。
【０２５２】
（４）上記（１）から（３）のうちのいずれかの遊技用システムにおいて、例えば、
前記第１の制御部は、前記遊技用装置の遊技に係る動作の制御を少なくとも行い（例えば、主制御部２１が行う処理参照）、
前記第２の制御部は、前記第２の制御部が備える集積回路の認証に係る制御を行う（例えば、セキュリティチップ２２が行う処理参照）。
【０２５３】
上記構成によれば、遊技用装置の動作に係る処理を第１の制御部と第２の制御部とで分担出来るので、第１の制御部と第２の制御部とについての処理負担が軽減される。なお、遊技に係る動作とは、遊技用装置がユーザ（遊技者）に遊技を行わせるための動作をいい、集積回路の認証等についての動作は含まれない。
【０２５４】
（その他４）
（１）遊技用システムは、
集積回路（例えば、通信制御ＩＣ２３）を搭載し、遊技用装置メーカー（例えば、カードユニットメーカー６００）で製造されて出荷され、遊技場（例えば、遊技場５００）に設置される遊技用装置（例えば、カードユニット２０）と、
前記遊技用装置メーカーにおいて前記集積回路に第１の設定情報（例えば、有効鍵（テスト用））を設定する設定手段（ステップＡ１１で有効鍵（テスト用）を書き込むＩＣライター６１０）と、
前記遊技用装置が前記遊技場に設置された後に前記遊技用装置と通信可能な管理装置（例えば、上位サーバ５１０）と、を備え、
前記管理装置は、第２の設定情報（例えば、有効鍵（商用））を記憶する設定情報記憶手段（例えば、有効鍵（商用）を記憶する記憶部５１２）を備え、
前記遊技用装置は、前記遊技場に設置された後に前記管理装置と通信して前記設定情報記憶手段が記憶する前記第２の設定情報を取得する取得手段（例えば、ステップＢ２における有効鍵（商用）の登録参照）と、前記取得手段が取得した前記第２の設定情報を前記集積回路に設定する設定手段（例えば、ステップＢ１９における有効鍵（商用）の設定参照）と、を備え、
前記集積回路は、前記第１の設定情報又は前記第２の設定情報が設定されることによって、所定の処理を行うことが可能となるように構成されている（例えば、有効鍵（テスト用）又は有効鍵（商用）を記憶することによって、パチンコ機１０等との通信を行うことができる通信制御ＩＣ２３参照）。
【０２５５】
上記構成によれば、遊技用装置が遊技用装置メーカーから出荷された後であって遊技場に設置される前においては、第１の設定情報と第２の設定情報とのいずれもが集積回路に設定されていないので、集積回路は、前記所定の処理を行うことが出来ない。このため、第３者は、集積回路を実際に動作させて所定の処理を行なわせ、この処理内容を解析する行為等を行い難い。このため、上記遊技用システムは、不正に対するセキュリティを向上させた遊技用システムになっている。なお、上記構成では、遊技用装置メーカーにおいては、第１の設定情報が集積回路に設定されるので、前記集積回路を実際に動作させることによる集積回路の動作確認の機会は確保されている。このため、前記遊技用システムでは、集積回路の動作確認についての利便性が著しく損なわれることはない。
【０２５６】
（２）上記（１）の遊技用システムにおいて、例えば、
前記集積回路は、前記第１の設定情報又は前記第２の設定情報を記憶する記憶手段（例えば、ステップＡ１１又はＢ１９で有効鍵（テスト用）又は有効鍵（商用）を記憶する処理参照）を備え、前記第１の設定情報を前記記憶手段に記憶することによって前記第１の設定情報が設定され、
前記第１の設定情報は、前記遊技用装置が前記遊技用装置メーカーから出荷される前に、前記記憶手段から消去されることによって設定が解除される。
【０２５７】
上記構成によれば、記憶手段から第１の設定情報を消去するだけで、設定を解除することが出来るので、第１の設定情報の集積回路への設定を容易に解除できる。また、遊技用装置が遊技用装置メーカーから出荷される前に第１の設定情報が解除されるため、後の誤動作を防止することができる。
【０２５８】
（３）上記（２）の遊技用システムにおいて、例えば、
前記記憶手段は、揮発性記憶手段（例えば、揮発性のＲＡＭ）である。
【０２５９】
上記構成によれば、集積回路への電力の供給を停止する（例えば、遊技用装置の電源を落とす）のみで、設定を解除することが出来るので、第１の設定情報の集積回路への設定を容易に解除できる。
【０２６０】
（その他５）
（１）遊技用システムは、
集積回路メーカー（例えば、チップメーカー１００）で製造され出荷された集積回路（例えば、通信制御ＩＣ２３）を搭載した、遊技用装置メーカー（例えば、カードユニットメーカー６００）で製造されて遊技場（遊技場５００）に設置される遊技用装置（例えば、カードユニット２０）と、
前記遊技用装置メーカーにおいて前記集積回路に情報を書き込む書込装置（ＩＣライター６１０）と、を備え、
前記書込装置は、前記集積回路に設定情報（有効鍵（テスト用））を設定するために前記集積回路に前記設定情報を書き込む書込手段（例えば、ステップＡ１１における有効鍵（テスト用）を書込む処理参照）を備え、
前記集積回路は、前記設定情報が設定されることによって所定の処理を行うことが可能である（例えば、有効鍵（テスト用）又は有効鍵（商用）を記憶することによって、パチンコ機１０等との通信を行うことができる通信制御ＩＣ２３参照）。
【０２６１】
上記構成によれば、集積回路が集積回路メーカーから遊技用装置メーカーに出荷される間においては、設定情報が集積回路に設定されていないので、集積回路は、前記所定の処理を行うことが出来ない。このため、集積回路メーカーから遊技用装置メーカーに出荷される間に、集積回路を動作させることによる不正が難しくなっている。なお、上記構成では、遊技用装置メーカーにおいては、設定情報が集積回路に設定されるので、前記集積回路を実際に動作させることによる集積回路の動作確認の機会は確保されている。このため、前記遊技用システムでは、集積回路の動作確認についての利便性が著しく損なわれることはない。
【０２６２】
（２）書込装置は、例えば、（１）の遊技用システムが備える書込装置であり、
集積回路（例えば、通信制御ＩＣ２３）に対して情報を書き込む書込装置（ＩＣライター６１０）であって、
前記集積回路は、集積回路メーカー（例えば、チップメーカー１００）で製造され出荷され（ステップＡ４の通信制御ＩＣ２３の出荷参照）、
出荷された前記集積回路は、遊技用装置メーカーで製造される遊技用装置（例えば、カードユニット２０）に搭載され、
前記遊技用装置メーカーで製造された前記遊技用装置は、遊技場（例えば、遊技場５００）に設置され、
前記書込装置は、前記集積回路に設定情報を設定するために、前記遊技用装置メーカーにおいて前記集積回路に前記設定情報を書き込む書込手段（例えば、ステップＡ１１における有効鍵（テスト用）を書込む処理参照）を備え、
前記集積回路は、前記設定情報が設定されることによって所定の処理を行うことが可能である（例えば、有効鍵（テスト用）又は有効鍵（商用）を記憶することによって、パチンコ機１０等との通信を行うことができる通信制御ＩＣ２３参照）。
【０２６３】
上記構成によれば、上記（１）と同様に、集積回路メーカーから遊技用装置メーカーに出荷される間に、集積回路を動作させることによる不正が難しくなっている。
【０２６４】
（３）また、上記（１）の遊技用システム等において、例えば、
前記集積回路は、自身を認証するための認証用情報（例えば、セキュリティ管理情報）を記憶し、
前記書込装置は、前記認証用情報を前記集積回路から取得し、取得した前記認証用情報に基づいて、前記集積回路の認証を行う認証手段（ステップＡ１０における照合参照）を備え、
前記書込手段は、前記認証手段による認証が成功した場合に、前記設定情報を前記集積回路に書き込む、
ようにしてもよい。
【０２６５】
上記構成によれば、認証成功の場合に、設定情報が集積回路に設定されるので、真性の集積回路に設定情報を設定することが出来る。
【０２６６】
（４）上記（１）又は（３）の遊技用システムにおいて、例えば、
前記集積回路は、記憶手段を備え、前記書込装置によって書き込まれた前記設定情報を前記記憶手段に記憶することによって前記設定情報が設定され、
前記設定情報は、前記記憶手段から消去されることによって前記設定手段の設定が解除される、
ようにしてもよい。
【０２６７】
上記構成によれば、記憶手段から設定情報を消去するだけで、設定を解除することが出来るので、設定情報の集積回路への設定を容易に解除できる。ここで、遊技用装置が遊技用装置メーカーから出荷された後であって遊技場に設置される前においても、設定情報が集積回路に設定されていないので、集積回路は、前記所定の処理を行うことが出来ない。このため、第３者は、前記期間において、集積回路を実際に動作させて所定の処理を行なわせ、この処理内容を解析する行為等を行い難い。このため、上記遊技用システムは、不正に対するセキュリティを向上させた遊技用システムになっている。なお、上記構成では、遊技用装置メーカーにおいて、設定情報が集積回路に設定されるので、例えば、遊技用装置メーカーにおける、前記集積回路を実際に動作させることによる集積回路の動作確認の機会は確保されている。このため、前記遊技用システムでは、集積回路の動作確認についての利便性が著しく損なわれることはない。
【０２６８】
（５）上記（４）の遊技用システムにおいて、例えば、
前記記憶手段は、揮発性記憶手段（例えば、揮発性のＲＡＭ）である。
【０２６９】
上記構成によれば、集積回路への電力の供給を停止する（例えば、遊技用装置の電源を落とす）のみで、設定を解除することが出来るので、第１の設定情報の集積回路への設定を容易に解除できる。
【０２７０】
（その他６）
（１）遊技用システムは、
遊技用装置（例えば、パチンコ機１０）に搭載された複数の集積回路（例えば、払出制御チップ１１と主制御チップ１３）それぞれの識別情報（例えば、チップ情報）を送信する送信手段（例えば、ステップＢ２５及びＢ２６においける照合要求で送信されるチップ情報参照）を備える遊技用装置（例えば、カードユニット２０）と、
前記複数の集積回路それぞれの識別情報をそれぞれ照合用情報として記憶する記憶手段（例えば、チップ情報を記憶する記憶部３１２）と、前記送信手段から送信される複数の前記識別情報と前記記憶手段が記憶する複数の前記照合用情報とをそれぞれ照合することによって前記複数の集積回路それぞれを認証する認証手段（例えば、ステップＢ２７においてチップ情報を照合する処理参照）と、を備える認証装置（例えば、鍵管理センターサーバ３１０）と、
前記認証手段による認証によって、前記複数の集積回路のうちの少なくとも一部についての認証が失敗した場合には、全体として認証失敗の旨の認証結果を特定し、前記認証手段による認証によって、前記複数の集積回路のすべてについての認証が成功した場合には、全体として認証成功の旨の認証結果を特定する特定手段（例えば、ステップＢ２８において照合結果を送信する処理、図１６における照合結果の関係、変形例１７におけるセキュリティチップ２２を参照）と、
を備える。
【０２７１】
上記構成によれば、複数の集積回路のうちの少なくとも一部についての認証が失敗した場合には、全体として認証失敗の旨の認証結果を特定する。このため、認証に失敗した場合に、どの集積回路の認証に失敗したかを、認証結果を分析したとしても、特定することが困難になる。これによって、上記遊技用システムは、どの集積回路について認証を行っているか等の把握を困難にして、認証結果を分析した結果を悪用し難いシステムになっている。
【０２７２】
（２）認証装置は、例えば、上記（１）の遊技用システムに使用されるものであって、
遊技用装置（例えば、パチンコ機１０）に搭載された複数の集積回路それぞれの識別情報をそれぞれ照合用情報として記憶する記憶手段（例えば、チップ情報を記憶する記憶部３１２）と、
前記遊技用装置（例えば、パチンコ機１０）から送信される、前記遊技用装置に搭載された複数の集積回路（例えば、払出制御チップ１１と主制御チップ１３）それぞれの識別情報（例えば、チップ情報）と前記記憶手段が記憶する複数の前記照合用情報とをそれぞれ照合することによって前記複数の集積回路それぞれを認証する認証手段（例えば、ステップＢ２７においてチップ情報を照合する処理参照）と、
前記認証手段による認証によって、前記複数の集積回路のうちの少なくとも一部についての認証が失敗した場合には、全体として認証失敗の旨の認証結果を送信し、前記認証手段による認証によって、前記複数の集積回路のすべてについての認証が成功した場合には、全体として認証成功の旨の認証結果を送信する送信手段（例えば、ステップＢ２８において照合結果を送信する処理、図１６における照合結果の関係を参照）と、
を備える。
【０２７３】
上記構成によれば、上記（１）と同様に、どの集積回路について認証を行っているか等の把握を困難にして、認証結果を分析した結果を悪用し難くなっている。
【符号の説明】
【０２７４】
１      遊技用システム
１０    パチンコ機
１１    払出制御チップ
１１ａ  処理部
１１ｂ  記憶部
１１ｃ  通信部
１２    不正監視制御部
１２ａ  処理部
１２ｂ  記憶部
１２ｃ  通信部
１３    主制御チップ
１３ａ  処理部
１３ｂ  記憶部
１３ｃ  通信部
２０    カードユニット
２１    主制御部
２１ａ  処理部
２１ｂ  記憶部
２１ｃ  通信部
２２    セキュリティチップ
２２ａ  処理部
２２ｂ  記憶部
２２ｃ  通信部
２３    通信制御ＩＣ
２３ａ  処理部
２３ｂ  記憶部
２３ｃ  通信部
１００  チップメーカー
１１０  チップメーカーコンピュータ
１１１  制御部
１１２  記憶部
１１３  入出力部
１１４  システムバス
３００  鍵管理センター
３１０  鍵管理センターサーバ
３１１  制御部
３１２  記憶部
３１３  入出力部
３１４  システムバス
５００  遊技場
５１０  上位サーバ
５１１  制御部
５１２  記憶部
５１３  入出力部
５１４  システムバス
６００  カードユニットメーカー
６１０  ＩＣライター
６１１  制御部
６１２  記憶部
６１３  入出力部
６１４  システムバス
６１５  書込読取部
【図１】
0005941624.tif 000002
【図２】
0005941624.tif 000003
【図３】
0005941624.tif 000004
【図４】
0005941624.tif 000005
【図５】
0005941624.tif 000006
【図６】
0005941624.tif 000007
【図７】
0005941624.tif 000008
【図８】
0005941624.tif 000009
【図９】
0005941624.tif 000010
【図１０】
0005941624.tif 000011
【図１１】
0005941624.tif 000012
【図１２】
0005941624.tif 000013
【図１３】
0005941624.tif 000014
【図１４】
0005941624.tif 000015
【図１５】
0005941624.tif 000016
【図１６】
0005941624.tif 000017
【図１７】
0005941624.tif 000018
【図１８】
0005941624.tif 000019